(57)【要約】  本発明には、チャネル状態情報パイロットの伝送方法、デバイス、プロセッサ及び記憶媒体が開示されている。当該方法は、基地局がチャネル状態情報パイロットの情報を決定することと、基地局がチャネル状態情報パイロットの情報を端末に送信することと、基地局がチャネル状態情報パイロットを発射することと、を含み、チャネル状態情報パイロットの情報は、少なくともチャネル状態情報パイロットポートの数と、構成要素の情報とを含み、チャネル状態情報パイロットポートがチャネル状態情報パイロットを発射することに用いられ、チャネル状態情報パイロットリソースがチャネル状態情報パイロットを担持することに用いられる。このようにして、関連技術におけるチャネル測定性能が低く、システムの複雑さが高いという技術的問題が解決される。【選択図】図２
2020515172.tif 000002
【特許請求の範囲】
【請求項１】
基地局がチャネル状態情報パイロットの情報を決定することと、
前記基地局が前記チャネル状態情報パイロットの情報を端末に送信することと、
前記基地局が前記チャネル状態情報パイロットを発射することと、を含み、
前記チャネル状態情報パイロットの情報は、少なくとも、チャネル状態情報パイロットポートの数と、構成要素の情報とを含み、前記チャネル状態情報パイロットポートが前記チャネル状態情報パイロットを発射することに用いられ、前記チャネル状態情報パイロットリソースが前記チャネル状態情報パイロットを担持することに用いられる、
チャネル状態情報パイロットの伝送方法。
【請求項２】
前記構成要素の情報は、前記構成要素の時間領域位置を含み、前基地局が前記チャネル状態情報パイロットの情報を端末に送信することは、
前記基地局が、１つの時間領域位置を参照として、前記構成要素の時間領域位置を前記端末に通知すること、を含み、
参照としての時間領域位置は、前記参照としての時間領域位置がスロットの最後の直交周波数分割多重ＯＦＤＭシンボルである方式と、前記参照としての時間領域位置がスロットのカテゴリによって指示される方式と、前記参照としての時間領域位置が上位層シグナリングによって構成される方式と、のいずれかの方式で決定される、
請求項１に記載の方法。
【請求項３】
前記構成要素は複数であり、前記構成要素の情報は、前記構成要素のカテゴリと、前記構成要素の位置とを含み、前記基地局が複数の前記構成要素の情報を前記端末に通知することは、
前記基地局が、選択された相対位置関係を前記端末に通知し、前記基地局が、上位層シグナリングにより複数の前記構成要素間の複数の相対位置関係を事前に前記端末に通知し、選択された相対位置関係は前記複数の相対位置関係の１つであることと、
前記基地局が、前記構成要素のカテゴリ及び前記チャネル状態情報パイロットポートの数を前記端末に送信し、これによって、前記構成要素のカテゴリ及び前記チャネル状態情報パイロットポートの数により複数の前記構成要素間の相対位置関係を指示すること、
前記基地局が、サブキャリアの間隔情報を前記端末に通知し、これによって、前記サブキャリアの間隔情報により複数の前記構成要素間の相対位置関係を指示し、前記サブキャリアはＯＦＤＭシステムにおけるデータ又は信号を担持する周波数領域単位であり、前記サブキャリアの間隔情報は前記周波数領域単位間の間隔を指示することに用いられることと、
前記基地局が、前記チャネル状態情報パイロットポートの多重方式情報を前記端末に通知し、これによって、前記チャネル状態情報パイロットポートの多重方式情報により複数の前記構成要素間の相対位置関係を指示し、前記チャネル状態情報パイロットポートの多重方式情報はポートが無線リソースを共通で使用する方式を指示することに用いられることと、
前記基地局が、前記チャネル状態情報パイロットの生成シーケンスの情報を前記端末に通知し、これによって、前記チャネル状態情報パイロットの生成シーケンスの情報により複数の前記構成要素間の相対位置関係を指示し、前記生成シーケンスの情報は、前記チャネル状態情報パイロットのシンボルを生成する時に使用される生成シーケンスであることと、の少なくとも１つを含む、
請求項１に記載の方法。
【請求項４】
前記構成要素は複数であり、前記基地局が複数の前記構成要素の情報を前記端末に通知することは、
前記基地局が、上位層シグナリングにより複数の前記構成要素間の相対位置関係を前記端末に通知し、物理層シグナリングにより複数の前記構成要素の１つの位置を前記端末に通知すること、又は、
前記基地局が、物理層シグナリングにより複数の前記構成要素間の相対位置関係を前記端末に通知し、上位層シグナリングにより複数の前記構成要素の１つの位置を前記端末に通知すること、を含む、
請求項１に記載の方法。
【請求項５】
前記構成要素の情報は、前記構成要素の時間領域位置と、周波数領域位置とを含み、前記基地局が前記構成要素の情報を前記端末に通知することは、
前記基地局が、前記構成要素の時間領域位置における最初のＯＦＤＭシンボルの位置、前記構成要素の周波数領域位置における周波数が最も低いサブキャリアの位置を前記端末に通知することと、
前記基地局が、前記構成要素の時間領域位置における最後のＯＦＤＭシンボルの位置、前記構成要素の周波数領域位置における周波数が最も高いサブキャリアの位置を前記端末に通知することと、
前記基地局が、前記構成要素の時間領域位置における最後のＯＦＤＭシンボルの位置、前記構成要素の周波数領域位置における周波数が最も低いサブキャリアの位置を前記端末に通知することと、の少なくとも１つを含む、
請求項１に記載の方法。
【請求項６】
前記チャネル状態情報パイロットリソースの構成要素は、複数の要素グループを含み、
前記基地局が複数の前記要素グループの複数の位置情報を前記端末に通知し、前記位置情報のそれぞれが複数の前記要素グループにおける各前記要素グループのために設定される位置を指示すること、をさらに含む、
請求項１に記載の方法。
【請求項７】
前記要素グループの位置情報は、前記要素グループが位置するリソースブロックの位置と、前記要素グループが位置するサブキャリアの位置とを含む、
請求項６に記載の方法。
【請求項８】
前記チャネル状態情報パイロットの情報は、前記チャネル状態情報パイロットの周波数領域密度情報をさらに含み、
前記基地局が、前記チャネル状態情報パイロットの周波数領域密度情報により前記要素グループの位置を指示し、各リソースブロックにおける各Ｋ個のサブキャリアが１つの要素グループを担持することに用いられ、Ｋは正の整数である、
請求項６に記載の方法。
【請求項９】
前記周波数領域密度情報が指示する周波数領域密度値は１より大きい場合、１２は前記周波数領域密度値で割り切れ可能であり、前記周波数領域密度値は、各ポートの各リソースブロックにおいて前記チャネル状態情報パイロットのパターンが占めるリソースエレメントの数である、
請求項８に記載の方法。
【請求項１０】
前記基地局が、複数の前記要素グループが示すパターンに使用されるリソースブロックの数を前記端末に通知すること、又は、
前記基地局が、複数の前記要素グループが示すパターンに使用されるリソースブロック位置を前記端末に通知すること、をさらに含む、
請求項６に記載の方法。
【請求項１１】
前記チャネル状態情報パイロットがゼロ出力で発射される場合、前記基地局が、前記チャネル状態情報パイロットリソースの構成要素の複数のカテゴリ、及び各カテゴリの構成要素の位置を前記端末に通知すること、をさらに含む、
請求項１に記載の方法。
【請求項１２】
前記基地局が各カテゴリの前記構成要素の位置を前記端末に通知することは、
前記基地局が、ビットマップの方式によって各カテゴリの前記構成要素の位置を前記端末に通知すること、を含む、
請求項１１に記載の方法。
【請求項１３】
前記構成要素の情報は、前記構成要素のカテゴリと、前記構成要素の位置とを含み、基地局が発射するチャネル状態情報パイロットの情報を端末に通知する時に、
前記チャネル状態情報パイロットポートの数と前記構成要素のカテゴリとをまとめて符号化する方式と、
少なくとも２つの前記構成要素の位置をまとめて符号化する方式と、
前記構成要素のカテゴリと前記構成要素の位置とをまとめて符号化する方式と、
前記チャネル状態情報パイロットポートの数と前記構成要素の位置とをまとめて符号化する方式と、のいずれかの方式でまとめて符号化すること、をさらに含む、
請求項１に記載の方法。
【請求項１４】
前記基地局が通知する前記構成要素の時間領域位置の下り発射スロットが存在しない場合、
前記基地局が前記チャネル状態情報パイロットを発射しないことと、
前記基地局が、１つの時間ウィンドウを前記端末に通知し、通知される時間ウィンドウが指示する第１の下りスロット内で前記チャネル状態情報パイロットを発射することと、
前記基地局が、前記チャネル状態情報パイロットの発射周期を通知し、構成された発射周期に対応する無線フレームに含まれる下りスロットの数、及び前記チャネル状態情報パイロットの発射に対応する無線フレームに含まれる下りスロットの数により、前記チャネル状態情報パイロットの時間領域位置を指示することと、のいずれかを含む、
請求項１に記載の方法。
【請求項１５】
前記構成要素の情報は、前記構成要素の周波数領域位置を含み、前記基地局が前記構成要素の周波数領域位置を前記端末に通知することは、
前記基地局が、前記構成要素のために複数の周波数領域位置のうちの１つを選択し、前記構成要素のために選択した周波数領域位置を前記端末に通知することを含み、
前記複数の周波数領域位置は予定されたものであり、
前記構成要素が周波数領域において１つのサブキャリアを占める場合、リソースブロックの任意のサブキャリアの周波数領域位置を前記予定の周波数領域位置とすることが許され、前記構成要素が周波数領域において複数のサブキャリアを占める場合、リソースブロックの２つの隣接する前記予定の周波数領域位置間の間隔を２つのサブキャリアとすることが許されること、を含む、
請求項１に記載の方法。
【請求項１６】
前記基地局が、前記チャネル状態情報パイロットのカテゴリを前記端末に通知すること、をさらに含む、
請求項１に記載の方法。
【請求項１７】
チャネル状態情報パイロットの情報を決定するように構成される決定ユニットと、
前記チャネル状態情報パイロットの情報を端末に送信するように構成される送信ユニットと、
前記チャネル状態情報パイロットを発射するように構成される発射ユニットと、を備え、
前記チャネル状態情報パイロットの情報は、少なくとも、チャネル状態情報パイロットポートの数と、構成要素の情報とを含み、前記チャネル状態情報パイロットポートが前記チャネル状態情報パイロットを発射するように構成され、前記チャネル状態情報パイロットリソースが前記チャネル状態情報パイロットを担持することに用いられ、
チャネル状態情報パイロットの伝送デバイス。
【請求項１８】
前記構成要素の情報は、前記構成要素の時間領域位置を含み、前記送信ユニットは、さらに、１つの時間領域位置を参照として、前記構成要素の時間領域位置を前記端末へ通知することに用いられ、
参照としての時間領域位置は、前記参照としての時間領域位置がスロットの最後の直交周波数分割多重ＯＦＤＭシンボルである方式と、前記参照としての時間領域位置がスロットのカテゴリによって指示される方式と、前記参照としての時間領域位置が上位層シグナリングによって構成される方式と、のいずれかの方式で決定される、
請求項１７に記載のデバイス。
【請求項１９】
前記構成要素は複数であり、前記構成要素の情報は、前記構成要素のカテゴリと、前記構成要素の位置とを含み、
前記送信ユニットは、
選択された相対位置関係を前記端末に通知し、基地局が上位層シグナリングにより複数の前記構成要素間の複数の相対位置関係を事前に前記端末に通知し、選択された相対位置関係は前記複数の相対位置関係の１つであるように構成される第１通知モジュールと、
前記構成要素のカテゴリ及び前記チャネル状態情報パイロットポートの数を前記端末に送信し、これによって、前記構成要素のカテゴリ及び前記チャネル状態情報パイロットポートの数により複数の前記構成要素間の相対位置関係を指示するように構成される第２通知モジュールと、
サブキャリアの間隔情報を前記端末に通知し、これによって、前記サブキャリアの間隔情報により複数の前記構成要素間の相対位置関係を指示し、前記サブキャリアがＯＦＤＭシステムにデータ又は信号を担持する周波数領域単位であり、前記サブキャリアの間隔情報が前記周波数領域単位間の間隔を指示することに用いられるように構成される第３通知モジュールと、
前記チャネル状態情報パイロットポートの多重方式情報を前記端末に通知し、これによって、前記チャネル状態情報パイロットポートの多重方式情報により複数の前記構成要素間の相対位置関係を指示し、前記チャネル状態情報パイロットポートの多重方式がポートが無線リソースを共通で使用する方式を指示することに用いられるように構成される第４通知モジュールと、
前記チャネル状態情報パイロットの生成シーケンスの情報を前記端末に通知し、これによって、前記チャネル状態情報パイロットの生成シーケンスの情報により複数の前記構成要素間の相対位置関係を指示し、前記生成シーケンスの情報が前記チャネル状態情報パイロットのシンボルを生成する時に使用される生成シーケンスであるように構成される第５通知モジュールと、を備える、
請求項１７に記載のデバイス。
【請求項２０】
前記構成要素は複数であり、
前記送信ユニットは、
上位層シグナリングにより複数の前記構成要素間の相対位置関係を前記端末に通知し、物理層シグナリングにより複数の前記構成要素の１つの位置を前記端末に通知するように構成される第６通知モジュールと、
物理層シグナリングによろい複数の前記構成要素間の相対位置関係を前記端末に通知し、上位層シグナリングにより複数の前記構成要素の１つの位置を前記端末に通知するように構成される第７通知モジュールと、を備える、
請求項１７に記載のデバイス。
【請求項２１】
前記構成要素の情報は、前記構成要素の時間領域位置と、周波数領域位置とを含み、
前記送信ユニットは、
前記構成要素の時間領域位置における最初のＯＦＤＭシンボルの位置、前記構成要素の周波数領域位置における周波数が最も低いサブキャリアの位置を前記端末に通知するように構成される第９通知モジュールと、
前記構成要素の時間領域位置における最後のＯＦＤＭシンボルの位置、前記構成要素の周波数領域位置における周波数が最も高いサブキャリアの位置を前記端末に通知するように構成される第１０通知モジュールと、
前記構成要素の時間領域位置における最後のＯＦＤＭシンボルの位置、前記構成要素の周波数領域位置における周波数が最も低いサブキャリアの位置を前記端末に通知する、ように構成される第１１通知モジュールと、を備える、
請求項１７に記載のデバイス。
【請求項２２】
前記チャネル状態情報パイロットリソースの構成要素は、複数の要素グループを含み、
前記送信ユニットは、
複数の前記要素グループの複数の位置情報を前記端末に通知し、前記位置情報のそれぞれが複数の前記要素グループにおける各前記要素グループのために設定される位置を指示するように構成される第１２通知モジュール、を備える、
請求項１７に記載のデバイス。
【請求項２３】
前記要素グループの位置情報は、前記要素グループが位置するリソースブロックの位置と、前記要素グループが位置するサブキャリアの位置とを含む、
請求項２２に記載のデバイス。
【請求項２４】
前記チャネル状態情報パイロットの情報は、前記チャネル状態情報パイロットの周波数領域密度情報をさらに含み、
前記送信ユニットは、前記チャネル状態情報パイロットの周波数領域密度情報により前記要素グループの位置を指示するようにさらに構成され、
各リソースブロックにおける各Ｋ個のサブキャリアが１つの要素グループを担持することに用いられ、Ｋは正の整数である、
請求項２２に記載のデバイス。
【請求項２５】
前記周波数領域密度情報が指示する周波数領域密度値が１より大きい場合、１２は前記周波数領域密度値で割り切れ可能であり、前記周波数領域密度値は、各ポートの各リソースブロックにおいて前記チャネル状態情報パイロットのパターンが占めるリソースエレメントの数である、
請求項２４に記載のデバイス。
【請求項２６】
前記デバイスは、
複数の前記要素グループが示すパターンに使用されるリソースブロックの数を前記端末に通知するように構成される第１通知ユニットと、
複数の前記要素グループが示すパターンに使用されるリソースブロックの位置を前記端末に通知するように構成される第２通知ユニットと、をさらに備える、
請求項２２に記載のデバイス。
【請求項２７】
前記デバイスは、
前記チャネル状態情報パイロットをゼロ出力で発射する場合、前記チャネル状態情報パイロットリソースの構成要素の複数のカテゴリ及び各カテゴリの構成要素の位置を前記端末に通知するように構成される第３通知ユニット、をさらに備える、
請求項１７に記載のデバイス。
【請求項２８】
前記第３通知ユニットは、さらに、ビットマップの方式によって各カテゴリの前記構成要素の位置を前記端末に通知するように構成される、
請求項２７に記載のデバイス。
【請求項２９】
前記構成要素の情報は、前記構成要素のカテゴリと、前記構成要素の位置とを含み、前記送信ユニットが前記チャネル状態情報パイロットの情報を端末に送信する時に、前記送信ユニットは、
前記チャネル状態情報パイロットポートの数と前記構成要素のカテゴリとをまとめて符号化する方式と、
少なくとも２つの前記構成要素の位置をまとめて符号化する方式と、
前記構成要素のカテゴリと前記構成要素の位置とをまとめて符号化する方式と、
前記チャネル状態情報パイロットポートの数と前記構成要素の位置とをまとめて符号化する方式と、のいずれかの方式でまとめて符号化する、
請求項１７に記載のデバイス。
【請求項３０】
前記送信ユニットが通知する前記構成要素の時間領域位置に下り発射スロットが存在しない場合、前記デバイスは、
前記送信ユニットが前記チャネル状態情報パイロットを発射しないように制御するように構成される制御ユニットと、
１つの時間ウィンドウを前記端末に通知し、通知される時間ウィンドウが指示する第１の下りスロット内で前記チャネル状態情報パイロットを発射するように構成される第４通知ユニットと、
前記チャネル状態情報パイロットの発射周期を通知し、構成された発射周期に対応する無線フレームに含まれる下りスロットの数、及び前記チャネル状態情報パイロットの発射に対応する無線フレームに含まれる下りスロットの数により、前記チャネル状態情報パイロットの時間領域位置を指示するように構成される第５通知ユニットと、をさらに備える、
請求項１７に記載のデバイス。
【請求項３１】
前記構成要素の情報は、前記構成要素の周波数領域位置を含み、
前記送信ユニットは、
前記構成要素のために複数の周波数領域位置のうちの１つを選択し、前記構成要素のために選択した周波数領域位置を前記端末に通知し、前記複数の周波数領域位置は予定されたものであり、
前記構成要素が周波数領域において１つのサブキャリアを占める場合、リソースブロックの任意のサブキャリアの周波数領域位置を前記予定の周波数領域位置とすることが許され、前記構成要素が周波数領域において複数のサブキャリアを占める場合、リソースブロックの２つの隣接する前記予定の周波数領域位置間の間隔を２つのサブキャリアとすることが許されるように構成される選択モジュール、を備える
請求項１７に記載のデバイス。
【請求項３２】
前記デバイスは、
前記チャネル状態情報パイロットのカテゴリを前記端末に通知するように構成される第６通知ユニット、をさらに備える、
請求項１７に記載のデバイス。
【請求項３３】
記憶されたプログラムを含み、前記プログラムが動作されると、請求項１〜１６のいずれか１項に記載のチャネル状態情報パイロットの伝送方法が実行される、
記憶媒体。
【請求項３４】
プログラムを実行するように構成され、前記プログラムが動作されると、請求項１〜１６のいずれか１項に記載のチャネル状態情報パイロットの伝送方法が実行される、
プロセッサ。
【請求項３５】
プロセッサと、メモリと、受送信機とを備え、
前記メモリが実行可能な命令を記憶するように構成され、
前記受送信機が前記プロセッサの制御に応じて情報の受送信通信を行うように構成され、
前記プロセッサが、
チャネル状態情報パイロットの情報を決定する操作と、
前記チャネル状態情報パイロットの情報を端末に送信する操作と、
前記チャネル状態情報パイロットを発射する操作と、を実行するように構成され、
前記チャネル状態情報パイロットの情報は、少なくとも、チャネル状態情報パイロットポートの数と、構成要素の情報とを含み、前記チャネル状態情報パイロットポートが前記チャネル状態情報パイロットを発射するように構成され、前記チャネル状態情報パイロットリソースが前記チャネル状態情報パイロットを担持することに用いられる、
基地局。
【請求項３６】
前記プロセッサは、さらに、
複数の要素グループの複数の位置情報を前記端末に通知する操作を実行するように構成され、
前記位置情報のそれぞれが複数の前記要素グループにおける各要素グループのために設定される位置を指示することに用いられる、
請求項３５に記載の基地局。
【発明の詳細な説明】
【関連出願の相互参照】
【０００１】
本出願は、２０１７年０３月２４日に中国特許局に出願された中国特許出願番号２０１７１０１８４８６７．０に基づく優先権を主張するものであり、その出願におけるすべての内容は参照として引用により本出願に組み込まれる。
【技術分野】
【０００２】
本発明は、通信の分野に関し、特に、チャネル状態情報パイロットの伝送方法、デバイス、プロセッサ及び記憶媒体に関する。
【背景技術】
【０００３】
長期的進化（ＬＴＥ、Ｌｏｎｇ  Ｔｅｒｍ  Ｅｖｏｌｕｔｉｏｎ）又は長期的進化アップグレード（ＬＴＥ−Ａ、ＬＴＥ−Ａｄｖａｎｃｅｄ）技術は、主流の第４世代モバイル通信技術（４Ｇ、ｔｈｅ  ４ｔｈ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ）である。端末のチャネル状態の予測のために、チャネル状態情報パイロット（ＣＳＩ−ＲＳ、Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）がＬＴＥ−Ａに導入される。非ゼロ出力で発射されるＣＳＩ−ＲＳは、非ゼロ出力ＣＳＩ−ＲＳ（ＮＺＰ  ＣＳＩ−ＲＳ）と呼ばれる。干渉を回避するために、物理下り共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）における一部のリソースエレメント（ＲＥ、Ｒｅｓｏｕｒｃｅ  Ｅｌｅｍｅｎｔ）でのデータ発射を回避し、ゼロ出力でＣＳＩ−ＲＳの発射を実現しなければならないことがある。この場合、ゼロ出力ＣＳＩ−ＲＳ（ＺＰ  ＣＳＩ−ＲＳ）と呼ばれ、対応するリソースエレメントセットはゼロ出力ＣＳＩ−ＲＳリソース（Ｚｅｒｏ  Ｐｏｗｅｒ  ＣＳＩ−ＲＳ  Ｒｅｓｏｕｒｃｅ）である。干渉を測定するために、ゼロ出力でＣＳＩ−ＲＳを発射することがある。この場合、対応するリソースエレメントセットは、干渉測定リソース（ＣＳＩ−ＩＭ  Ｒｅｓｏｕｒｃｅ、Ｃｈａｎｎｅｌ−Ｓｔａｔｅ  Ｉｎｆｏｒｍａｔｉｏｎ−Ｉｎｔｅｒｆｅｒｅｎｃｅ  Ｍｅａｓｕｒｅｍｅｎｔ  Ｒｅｓｏｕｒｃｅ）と呼ばれる。
【０００４】
チャネル状態情報パイロット構成、即ち、ＣＳＩ−ＲＳ構成（ＣＳＩ  ｒｅｆｅｒｅｎｃｅ  ｓｉｇｎａｌ  ｃｏｎｆｉｇｕｒａｔｉｏｎ、ＣＳＩ−ＲＳ  ｃｏｎｆｉｇｕｒａｔｉｏｎ）は、ＣＳＩ−ＲＳによってマッピングされたＲＥ、つまり、ＣＳＩ−ＲＳの伝送に使用されるＲＥを指示することに用いられ、ＣＳＩ−ＲＳ構成番号は、異なるＣＳＩ−ＲＳ構成を区別することに用いられる。ＣＳＩ−ＲＳサブフレーム構成（ＣＳＩ  ｒｅｆｅｒｅｎｃｅ  ｓｉｇｎａｌ  ｓｕｂｆｒａｍｅ  ｃｏｎｆｉｇｕｒａｔｉｏｎ）は、ＣＳＩ−ＲＳ伝送をするサブフレームを指示することに用いられる。
【０００５】
生産、生活、科学研究技術の発展に伴い、第５世代（５Ｇ）無線通信技術が要求され、５Ｇ無線技術は、広帯域、大規模なマルチ入出力システム（ｍａｓｓｉｖｅ−ＭＩＭＯ、ｍａｓｓｉｖｅ−Ｍｕｌｔｉｐｌｅ−Ｉｎｐｕｔ  Ｍｕｌｔｉｐｌｅ−Ｏｕｔｐｕｔ）のビーム技術を特徴とし、大容量データ伝送、低遅延伝送、ＩｏＴ伝送、及び高速移動での伝送の要求を満たす必要がある。３ＧＰＰは、ＮＲ（Ｎｅｗ  Ｒａｄｉｏ）アクセス技術の研究を行い、ＮＲは、適応する周波数範囲が０．６ＧＨｚ〜１００ＧＨｚであり、サブキャリア間の間隔を構成でき、時間領域におけるサブフレーム又はスロットの長さを構成でき、データの伝送は、構成された直交周波数分割多重（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで行われ可能であり、データ復調パイロットのパターン及び位置は必要によって構成でき、かつ、ＯＦＤＭシンボルとＯＦＤＭシンボルの間はビームを変更でき、ＯＦＤＭシンボルの内部でさえビームを変更できる。また、チャネル状態情報の測定、ビームの管理、及びチャネル位相の追跡をサポートするために、ＮＲにＣＳＩ−ＲＳを導入する必要がある。ＮＲは、ＣＳＩ−ＲＳが、周期的発射、半永続的発射、及び非周期的発射の３つの発射方式を採用できることが要求される。
【０００６】
関連技術では、パイロット伝送方法は、システムの複雑さが高く要求され、チャネル測定の性能が低い。
【発明の概要】
【０００７】
これに鑑み、本発明の実施例は、少なくとも関連技術におけるチャネル測定性能が低く、システムの複雑さが高いという技術的問題を解決するような、チャネル状態情報パイロットの伝送方法、デバイス、プロセッサ及び記憶媒体を提供することが望ましい。
【０００８】
第１の態様では、本発明の実施例は、基地局がチャネル状態情報パイロットの情報を決定することと、基地局がチャネル状態情報パイロットの情報を端末に送信することと、基地局がチャネル状態情報パイロットを送信することと、を含み、チャネル状態情報パイロットの情報は、少なくとも、チャネル状態情報パイロットポートの数と、構成要素の情報とを含み、チャネル状態情報パイロットポートがチャネル状態情報パイロットを発射することに用いられ、チャネル状態情報パイロットリソースがチャネル状態情報パイロットを担持することに用いられ、構成要素がチャネル状態情報パイロットリソースを構成することに用いられる、チャネル状態情報パイロットの伝送方法を提供する。
【０００９】
第２の態様では、本発明の実施例は、チャネル状態情報パイロットの情報を決定するように構成される決定ユニットと、チャネル状態情報パイロットの情報を端末に送信するように構成される送信ユニットと、チャネル状態情報パイロットを発射するように構成される発射ユニット、を備え、チャネル状態情報パイロットの情報は、少なくとも、チャネル状態情報パイロットポートの数と、構成要素の情報とを含み、チャネル状態情報パイロットポートがチャネル状態情報パイロットを発射するように構成され、チャネル状態情報パイロットリソースがチャネル状態情報パイロットを担持することに用いられ、構成要素がチャネル状態情報パイロットリソースを構成することに用いられる、チャネル状態情報パイロットの伝送デバイスを提供する。
【００１０】
第３の態様では、本発明の実施例は、記憶されたプログラムを含み、プログラムが動作されると、上記のチャネル状態情報パイロットの伝送方法が実行される、記憶媒体をさらに提供する。
【００１１】
第４の態様では、本発明の実施例は、プログラムを実行するように構成され、前記プログラムが動作されると、上記のチャネル状態情報パイロットの伝送方法が実行される、プロセッサをさらに提供する。
【００１２】
第５の態様では、本発明の実施例は、プロセッサと、メモリと、受送信機と、を備え、前記メモリが実行可能な命令を記憶するように構成され、前記受送信機が前記プロセッサの制御に応じて情報の受送信通信を行うように構成され、前記プロセッサが、チャネル状態情報パイロットの情報を決定する操作と、前記チャネル状態情報パイロットの情報を端末に送信する操作と、前記チャネル状態情報パイロットを発射する操作と、を実行するように構成され、前記チャネル状態情報パイロットの情報は、少なくとも、チャネル状態情報パイロットポートの数と、構成要素の情報とを含み、前記チャネル状態情報パイロットポートが前記チャネル状態情報パイロットを発射するように構成され、前記チャネル状態情報パイロットリソースが前記チャネル状態情報パイロットを担持することに用いられる、基地局をさらに提供する。
【００１３】
本発明の実施例では、基地局がチャネル状態情報パイロットの情報を決定し、チャネル状態情報パイロットの情報は、少なくとも、チャネル状態情報パイロットポートの数と、チャネル状態情報パイロットリソースの構成要素情報とを含み、チャネル状態情報パイロットポートがチャネル状態情報パイロットを発射することに用いられ、チャネル状態情報パイロットリソースがチャネル状態情報パイロットを担持することに用いられ、基地局がチャネル状態情報パイロットの情報を端末に送信し、基地局がチャネル状態情報パイロットを発射する。これによって、関連技術におけるチャネル測定性能が低く、システムの複雑さが高いという技術的問題が解決され、システムの複雑さが低減し、チャネル状態の測定性能を高める技術的効果が得られる。
【図面の簡単な説明】
【００１４】
ここで説明される図面は、本発明の実施例を理解するために提供され、本出願の一部を構成し、本発明の例示的な実施例及びその説明は、本発明を説明することを意図し、本発明を限定するものであない。
【図１】本発明の実施例によるチャネル状態情報パイロットの伝送方法を実行するための端末の模式図である。
【図２】本発明の実施例によるチャネル状態情報パイロットの伝送方法のフローチャートである。
【図３】本発明の実施例によるチャネル状態情報パイロットの伝送デバイスの模式図である。
【発明を実施するための形態】
【００１５】
以下、図面及び実施例を参照して本発明を詳細に説明する。本明細書に記載される具体的な実施例は、本発明の単なる例示であり、本発明を限定することを意図しないことが理解される。
【００１６】
なお、本発明の明細書及び請求の範囲における用語「第１」、「第２」などは、類似の対象を区別することに用いられ、特定の順番を説明するために必ずしも使用されないことが理解られる。
【００１７】
あるＣＳＩ−ＲＳ構成は、一定数のアンテナポートを有するＣＳＩ−ＲＳ構成であり、例えば、アンテナポート数は８で、構成番号は０であるＣＳＩ−ＲＳ構成である。一般的には、構成番号は、インデックス番号である。
【００１８】
関連技術では、ポート数が１、２、４、８、１２、１６であるＣＳＩ−ＲＳリソースをサポートし、これらのポート数のＣＳＩ−ＲＳリソースエレメントパターンは、帯域幅範囲の各物理リソースブロックＰＲＢ（Ｐｈｙｓｉｃａｌ  Ｒｅｓｏｕｒｃｅ  Ｂｌｏｃｋ）ペアの伝送サブフレームで繰り返される。
【００１９】
ただし、ポート数が１、２、４、８であるＣＳＩ−ＲＳリソース（ＣＳＩ−ＲＳ  ｒｅｓｏｕｒｃｅ）は、単一のＣＳＩ−ＲＳ構成から構成され、ポート数が１２、１６、２０、２４、２８、３２であるＣＳＩ−ＲＳリソースは、複数のＣＳＩ−ＲＳ構成を集積して構成される。
【００２０】
基地局又は端末は、一般的には、チャネル状態測定プロセス（ＣＳＩ  Ｐｒｏｃｅｓｓ）によってチャネル状態を測定し、１つのＣＳＩ  Ｐｒｏｃｅｓｓには、通常、１つ又は複数のＣＳＩ−ＲＳ  ｒｅｓｏｕｒｃｅが構成され、端末はＣＳＩ−ＲＳの測定に応じてフィードバックする。
【００２１】
電力を最大限に活用し、チャネル測定の精度を向上されるために、ポートを複数のグループに分割し、グループ内のポートを符号分割多重で動作させることができる。
【００２２】
基地局は、上位層シグナリングにより、ＣＳＩ−ＲＳに関する情報を端末に通知し、これらの情報は、ＣＳＩ−ＲＳリソース構成ＩＤ（ＣＳＩ−ＲＳ  ｒｅｓｏｕｒｃｅ  ｃｏｎｆｉｇｕｒａｔｉｏｎ  ｉｄｅｎｔｉｔｙ）、ＣＳＩ−ＲＳポート数、ＣＳＩ−ＲＳ構成、及びＣＳＩ−ＲＳサブフレーム構成を含む。
【００２３】
本発明の実施例では、基地局は、チャネル状態情報パイロットの情報を決定し、チャネル状態情報パイロットの情報は、少なくとも、チャネル状態情報パイロットポートの数と、チャネル状態情報パイロットリソースの構成要素情報とを含み、チャネル状態情報パイロットポートがチャネル状態情報パイロットを発射することに用いられ、チャネル状態情報パイロットリソースがチャネル状態情報パイロットを担持することに用いられ、基地局は、チャネル状態情報パイロットの情報を端末に送信し、基地局は、チャネル状態情報パイロットを発射する。
【００２４】
実施例１
本出願の実施例１による方法の実施例は、モバイル端末、コンピュータ端末等の演算デバイスで実行されることができる。コンピュータ端末（即ち、基地局内のコンピュータ端末）に実行されることを例として、図１に示すように、コンピュータ端末は、１つ又は複数の（図１に１つだけを示している）プロセッサ１０１（プロセッサ１０１として、マイクロプロセッサ（ＭＣＵ、Ｍｉｃｒｏ  Ｃｏｎｔｒｏｌｌｅｒ  Ｕｎｉｔ）、又はプログラマブル論理デバイス（ＦＰＧＡ、Ｆｉｅｌｄ−Ｐｒｏｇｒａｍｍａｂｌｅ  Ｇａｔｅ  Ａｒｒａｙ）等の処理デバイスが挙げられてもよいが、これらに限定されない）と、データを記憶するように構成されるメモリ１０３と、及び通信機能として構成される受送信機１０５と、を備えてもよい。図１に示す構造は単なる例示であり、上記の電子デバイスの構造を限定するものではないことを、当業者は理解することができる。
【００２５】
メモリ１０３は、本発明の実施例におけるデバイスの制御方法に対応するプログラム命令／モジュール等のアプリケーションソフトウェアを記憶するソフトウェアプログラム及びモジュールとして構成されてもよい、プロセッサ１０１は、メモリ１０３に記憶されたソフトウェアプログラム及びモジュールを実行することにより、即ち上記の方法を実現するように、様々な機能アプリケーション及びデータ処理を実行する。メモリとして、高速ランダムアクセスメモリが挙げられてもよく、１つ又は複数の磁気記憶デバイス、フラッシュメモリ、又は他の不揮発性ステートメモリ等の不揮発性メモリがさらに挙げられてもよい。いくつかの例では、メモリは、ネットワークを介してコンピュータ端末に接続可能なプロセッサに対してリモートに構成されたメモリを含んでもよい。上記のネットワークの例そして、インターネット、イントラネット、ローカルエリアネットワーク、モバイル通信ネットワーク、及びそれらの組み合わせが挙げられるが、それらに限定されない。
【００２６】
受送信機１０５は、１つのネットワークを介してデータを受信又は送信するように構成される。上記のネットワークの具体例として、コンピュータ端末の通信プロバイダーによって提供される無線ネットワークを含んでもよい。一実例では、伝送デバイスは、１つのネットワークインターフェースコントローラ（Ｎｅｔｗｏｒｋ  Ｉｎｔｅｒｆａｃｅ  Ｃｏｎｔｒｏｌｌｅｒ、ＮＩＣ）を含み、基地局が他のネットワークデバイスに接続されることによってインターネットと通信することができる。一例では、受送信機１０５は、無線周波数（Ｒａｄｉｏ  Ｆｒｅｑｕｅｎｃｙ、ＲＦ）モジュールであってもよく、インターネットと無線で通信するように構成される。
【００２７】
本発明の実施例によれば、チャネル状態情報パイロットの伝送方法の方法実施例が提供され、なお、図面のフローチャートに示されるステップは、コンピュータ実行可能な命令のセット等のコンピュータシステムで実行でき、また、フローチャートには論理順番が示されるが、場合によっては、表示又は説明されたステップは、ここで説明されたものとは異なる順番で実行される場合がある。
【００２８】
図２は、本発明の実施例によるチャネル状態情報パイロットの伝送方法のフローチャートであり、図２に示すように、この方法は、以下のステップを含む。
【００２９】
ステップＳ２０２では、基地局は、チャネル状態情報パイロットの情報を決定する。
【００３０】
ただし、チャネル状態情報パイロットの情報は、少なくとも、チャネル状態情報パイロットポートの数と、構成要素の情報とを含み、チャネル状態情報パイロットポートがチャネル状態情報パイロットを発射することに用いられ、チャネル状態情報パイロットリソースがチャネル状態情報パイロットを担持することに用いられる。
【００３１】
ステップＳ２０４では、基地局は、チャネル状態情報パイロットの情報を端末に送信する。
【００３２】
ステップＳ２０６では、基地局は、チャネル状態情報パイロットを発射する。
【００３３】
上記の実施例によれば、基地局がチャネル状態情報パイロットの情報を決定し、チャネル状態情報パイロットの情報は、少なくとも、チャネル状態情報パイロットポートの数と、構成要素情報とを含み、チャネル状態情報パイロットポートがチャネル状態情報パイロットを発射することに用いられ、チャネル状態情報パイロットリソースがチャネル状態情報パイロットを担持することに用いられ、基地局がチャネル状態情報パイロットの情報を端末に送信し、基地局がチャネル状態情報パイロットを発射する。したがって、関連技術におけるチャネル測定性能が低く、システムの複雑さが高いという技術的問題が解決され、システムの複雑さが低減し、チャネル状態の測定性能を高めるという技術的効果が実現される。
【００３４】
一実施例では、上記のステップを実行する主体は、基地局等であってもよいが、それに限定されない。
【００３５】
ポートとは、論理アンテナであり、端末は、ポート上のパイロット信号を測定することで論理アンテナにおけるチャネル状態情報を取得する。ＣＳＩ−ＲＳポートの数とは、論理アンテナの数である。ＣＳＩ−ＲＳリソースパターンは、ＣＳＩ−ＲＳ（チャネル状態情報パイロット）を発射するリソースエレメント（ＲＥ、Ｒｅｓｏｕｒｃｅ  ｅｌｅｍｅｎｔ）のセットであり、要素で構成され、要素はＲＥのセットである。要素の情報には、少なくとも要素の種類と、要素の位置が含まれる。
【００３６】
基地局は、ＣＳＩ−ＲＳ情報を伝送し、これら情報に基づき、ＣＳＩ−ＲＳリソースパターン及びポート数を知ることができ、端末は、その情報を取得し、基地局がチャネル状態を測定するＲＥと、チャネル状態が測定されるポートの数とを取得することができる。ＣＳＩ−ＲＳリソースパターンは、要素で構成され、要素のカテゴリ情報及び位置情報によりＣＳＩ−ＲＳリソースパターン情報を送信できる。
【００３７】
ＣＳＩ−ＲＳポートの数は、正の整数であってもよく、例えば、１、２、４、８、１２、１６、２４、３２等であってもよい。要素のカテゴリは、含まれるＲＥの数ごとに分割されてもよく、例えば、１つのＲＥを含む要素、２つのＲＥを含む要素、４つのＲＥを含む要素、８つのＲＥを含む要素、１２ＲＥを含む要素、１６ＲＥを含む要素等に分割されてよい。また、ＣＳＩ−ＲＳリソースパターンの構成に必要な要素の数に応じて分割されてもよい、例えば、１つの要素でＣＳＩ−ＲＳリソースパターンを構成し、２つの要素でＣＳＩ−ＲＳリソースパターンを構成し、３つの要素でＣＳＩ−ＲＳリソースパターンを構成し、４つの要素でＣＳＩ−ＲＳリソースパターンを構成する。また、要素の周波数領域に含まれるサブキャリアの数Ｙ及び時間領域に含まれるＯＦＤＭシンボルの数Ｚに応じて分割されてもよい、例えば、（Ｙ、Ｚ）＝（２、１）、（Ｙ、Ｚ）＝（１、２）、（Ｙ、Ｚ）＝（４、１）、（Ｙ、Ｚ）＝（２、２）、（Ｙ、Ｚ）＝（１、４）、（Ｙ、Ｚ）＝（８、１）、（Ｙ、Ｚ）＝（２、４）、（Ｙ、Ｚ）＝（１、８）、（Ｙ、Ｚ）＝（４、２）、のように分割される。構成要素の情報は、例えば、各構成要素の情報、又はその中の一つの構成要素の情報又は一部の構成要素の情報であり、要素の時間領域位置のみ、又は要素の周波数領域位置のみを使用し、要素の時間領域位置及び周波数領域位置を同時に使用し、要素内いずれか一つのＲＥの位置を使用してもよい、位置は、サブキャリアで表され、ＯＦＤＭシンボルで表され、または、特定の時間単位で表されてもよい。
【００３８】
一実施例では、構成要素の情報は、構成要素の時間領域位置を含み、基地局がチャネル状態情報パイロットの情報を端末に送信することは、基地局が、１つの時間領域位置を参照として、構成要素の時間領域位置を端末へ通知すること、を含む。参照としての時間領域位置は、参照としての時間領域位置はスロットの最後のＯＦＤＭシンボルである方式と、参照としての時間領域位置はスロットのカテゴリによって指示される方式と、参照としての時間領域位置は上位層シグナリングによって構成される方式と、のいずれかの方式で決定される。
【００３９】
一実施例では、構成要素は複数であり、基地局が複数の構成要素の情報を端末に通信することは、基地局が、選択された相対位置関係を端末に通知し、基地局が、上位層シグナリングにより複数の構成要素間の複数の相対位置関係を事前に端末に通知し、選択された相対位置関係は複数の相対位置関係の１つであることと、基地局が、構成要素のカテゴリ及びチャネル状態情報パイロットポートの数を端末に送信し、構成要素のカテゴリ及びチャネル状態情報パイロットポートの数により複数の構成要素間の相対位置関係を指示することと、基地局が、サブキャリアの間隔情報を端末に通知し、サブキャリアの間隔情報により複数の構成要素間の相対位置関係を指示し、サブキャリアはＯＦＤＭシステムにデータ又は信号を担持する周波数領域単位であり、サブキャリアの間隔情報は周波数領域単位間の間隔を指示することに用いられることと、基地局が、チャネル状態情報パイロットポートの多重方式情報を端末に通知し、チャネル状態情報パイロットポートの多重方式情報により複数の構成要素間の相対位置関係を指示し、チャネル状態情報パイロットポートの多重方式情報はポートが無線リソースを共通で使用する方式を指示することに用いられることと、基地局が、チャネル状態情報パイロットの生成シーケンスの情報を端末に通知し、チャネル状態情報パイロットの生成シーケンスの情報により複数の構成要素間の相対位置関係を指示し、生成シーケンスの情報は、チャネル状態情報パイロットのシンボルを生成する時に使用される生成シーケンスであることと、の少なくとも１つを含む。
【００４０】
一実施例では、構成要素は複数であり、基地局が複数の構成要素の情報を端末に通知することは、基地局が、上位層シグナリングにより複数の構成要素間の相対位置関係を端末に通知し、物理層シグナリングにより複数の構成要素の１つの位置を端末に通知すること、又は、基地局が物理層シグナリングにより複数の構成要素間の相対位置関係を端末に通知し、上位層シグナリングにより複数の構成要素の１つの位置を端末に通知すること、を含む。
【００４１】
一実施例では、構成要素の情報は、構成要素の時間領域位置と、周波数領域位置とを含み、基地局が構成要素の情報を端末に通知することは、基地局が、構成要素の時間領域位置における最初のＯＦＤＭシンボルの位置、構成要素の周波数領域位置における周波数が最も低いサブキャリアの位置を端末に通知することと、基地局が構成要素の時間領域位置における最後のＯＦＤＭシンボルの位置、構成要素の周波数領域位置における周波数が最も高いサブキャリアの位置を端末に通知することと、基地局が構成要素の時間領域位置における最後のＯＦＤＭシンボルの位置、構成要素の周波数領域位置における周波数が最も低いサブキャリアの位置を端末に通知することと、の少なくとも１つを含む。
【００４２】
一実施例では、チャネル状態情報パイロットリソースの構成要素は、複数の要素グループを含み、方法は、基地局が複数の要素グループの複数の位置情報を端末に通知することをさらに含み、位置情報のそれぞれが複数の要素グループにおける各要素グループのために設定される位置を指示することに用いられる。
【００４３】
一実施例では、要素グループの位置情報は、要素グループが位置するリソースブロックの位置、及び要素グループが位置するサブキャリアの位置を含む。
【００４４】
一実施例では、チャネル状態情報パイロットの情報は、チャネル状態情報パイロットの周波数領域密度情報をさらに含み、基地局は、チャネル状態情報パイロットの周波数領域密度情報により要素グループの位置を指示し、各リソースブロックにおける各Ｋ個のサブキャリアが１つの要素グループを担持することに用いられ、ただし、Ｋは正の整数である。
【００４５】
一実施例では、周波数領域密度情報が指示する周波数領域密度値は１より大きい場合、１２は周波数領域密度値で割り切れ可能であり、周波数領域密度値は、各ポートの各リソースブロックにおいてチャネル状態情報パイロットのパターンが占めるリソースエレメントの数である。
【００４６】
一実施例では、当該方法では、基地局は、複数の要素グループが示すパターンに使用されるリソースブロックの数を端末に通知すること、又は、基地局は、複数の要素グループが示すパターンに使用されるリソースブロック位置を端末に通知すること、をさらに含む。
【００４７】
一実施例では、当該方法は、チャネル状態情報パイロットがゼロ出力で発射される場合、基地局が、チャネル状態情報パイロットリソースの構成要素の複数のカテゴリ及び各カテゴリの構成要素の情報を端末に通知すること、をさらに含む。
【００４８】
一実施例では、基地局が各カテゴリの構成要素の情報を端末に通知することは、基地局が、ビットマップの方式によって各カテゴリの構成要素の情報を端末に通知すること、を含む。
【００４９】
一実施例では、基地局が発射するチャネル状態情報パイロットの情報を端末に通知する時に、当該方法は、チャネル状態情報パイロットポートの数と構成要素のカテゴリとをまとめて符号化する方式と、少なくとも２つの構成要素の情報をまとめて符号化する方式と、構成要素のカテゴリと構成要素の情報とをまとめて符号化する方式と、チャネル状態情報パイロットポートの数と構成要素の情報とをまとめて符号化する方式と、のいずれかの方式でまとめて符号化すること、をさらに含む。
【００５０】
一実施例では、基地局が通知する構成要素の時間領域位置の下り発射スロットが存在しない場合、当該方法は、基地局がチャネル状態情報パイロットを発射しないことと、基地局が１つの時間ウィンドウを端末に通知し、通知される時間ウィンドウが指示する第１の下りスロット内でチャネル状態情報パイロットエを発射することと、基地局がチャネル状態情報パイロットの発射周期を通知し、構成された発射周期に対応するサブフレームに含まれるスロットの数、及びチャネル状態情報パイロットの発射に対応するサブフレームのスロットの数により、チャネル状態情報パイロットの時間領域位置を指示することと、のいずれかを含む。
【００５１】
一実施例では、構成要素の情報は、構成要素の周波数領域位置を含み、基地局が構成要素の情報を端末に通知することは、基地局が、構成要素のために複数の周波数領域位置のうちの１つを選択し、構成要素のために選択した周波数領域位置を端末に通知することを含み、複数の周波数領域位置は、予定されたものであり、構成要素が周波数領域において１つのサブキャリアを占める場合、リソースブロックのいずれか１つのサブキャリアの周波数領域位置を予定の周波数領域位置とすることが許され、構成要素が周波数領域において複数のサブキャリアを占める場合、リソースブロックの２つの隣接する予定の周波数領域位置間の間隔を２つのサブキャリアとすることが許される。
【００５２】
一実施例では、当該方法は、基地局がチャネル状態情報パイロットのカテゴリを端末に通知すること、をさらに含む。
【００５３】
本実施例の好ましい実施形態では、１つの時間領域位置を参照として、構成要素の時間領域位置を通知する。参照としての時間領域位置は、スロットの最後のＯＦＤＭシンボルであるもの、スロットのカテゴリによって指示されるもの、上位層シグナリングによって構成されるもの、のいずれかである。
【００５４】
参照として適当な時間領域位置を選択し、構成要素の時間領域位置を通知することで、ＣＳＩ−ＲＳリソースパターンを通知するシグナリングのオーバーヘッドを節約できる。スロットは無線信号又はデータによって発射される時間構造単位であり、一般的に１つ以上のＯＦＤＭシンボルを含み、１つのスロットに完全な１つのＣＳＩ−ＲＳリソースパターンを持つことができる。一般的に、１つのスロットの最初の複数のＯＦＤＭシンボルが制御チャネルに使用され、スロットの中央又は以降のＯＦＤＭがＣＳＩ−ＲＳの伝送に使用される。スロットの最後のＯＦＤＭシンボルを参照として選択することで、ＣＳＩ−ＲＳ位置を表す値は、第１のＯＦＤＭシンボルを参照として選択するより小さい範囲になり、シグナリングを節約できる。異なるカテゴリのスロットは、異なるスロット構造を有し、スロットにＣＳＩ−ＲＳリソースパターンが位置する位置が異なる場合があるため、異なるカテゴリスロットに応じて参照の時間領域位置を決定すると、シグナリングのオーバーヘッド及びシステムの複雑さを節約できる。場合によって、ＣＳＩ−ＲＳリソースパターンが発射される時間領域位置の範囲も異なり、上位層シグナリングの構成が時間領域参照位置を参照することで、シグナリングのオーバーヘッドを節約できる。
【００５５】
例えば、スロットの最後のＯＦＤＭシンボルは時分割復信（ＴＤＤ、Ｔｉｍｅ  Ｄｉｖｉｓｉｏｎ  Ｄｕｐｌｅｘｉｎｇ）システムにおける上りスロットの１つ前のＯＦＤＭシンボルであってもよく、制御シグナリングを含むスロットの最後のＯＦＤＭシンボルであってもよく、対応構成されたサブキャリア間隔の最後のＯＦＤＭシンボルであってもよく、任意のタイプのスロットの最後のＯＦＤＭシンボルであってもよく、特定のタイプのスロットの最後のＯＦＤＭシンボルであってもよい。一部のスロットカテゴリでは、ＣＳＩ−ＲＳリソースパターンは時間の第３のＯＦＤＭシンボルに近く、このようなスロットの第３のＯＦＤＭシンボルを参照位置とすると、シグナリングのオーバーヘッドを節約できる。一部のスロットのカテゴリでは、ＣＳＩ−ＲＳリソースパターンは時間の最も中央のＯＦＤＭシンボルに近く、このようなスロットの最も中央のＯＦＤＭシンボルを参照位置とすると、シグナリングのオーバーヘッドを節約できる。一部のスロットカテゴリでは、ＣＳＩ−ＲＳリソースパターンは時間の最後のＯＦＤＭシンボルに近く、このようなスロットの最後のＯＦＤＭシンボルを参照位置とすると、シグナリングのオーバーヘッドを節約できる。隣接セルでのＣＳＩ−ＲＳ干渉回避を考慮する場合、ＣＳＩ−ＲＳリソースパターンの位置は特定の位置範囲にあることが多く、上位層シグナリングはこの位置を参照時間領域位置として構成すると、シグナリングのオーバーヘッドを節約できる。ＣＳＩ−ＲＳが複数の端末に伝送する場合、特定の端末のＣＳＩ−ＲＳリソースパターンの位置は特定の位置範囲にあることが多く、上位層シグナリングはこの位置を参照時間領域位置として構成する。
【００５６】
本実施例の他の好ましい実施形態では、ＣＳＩ−ＲＳリソースは、複数の構成要素で構成され、基地局が複数の構成要素の情報を通知する。
【００５７】
ＣＳＩ−ＲＳリソースは複数の構成要素で構成され、複数の要素の位置を構成でき、柔軟なＣＳＩ−ＲＳリソースパターン、及びパターン位置の構成を実現できる。５Ｇ無線システムにおいて、サブフレーム構造を柔軟に構成でき、発射ビームをＯＦＤＭシンボルに応じて変更でき、データ復調パイロット位置を構成でき、端末に送信されるデータは、時間領域においてＯＦＤＭシンボルを単位としてスケジュールでき、周波数領域においてスケジュールできる。これらの特徴に適応するために、ＣＳＩ−ＲＳリソースパターン及びパターンの位置に十分な柔軟性又は汎用性が必要である。
【００５８】
例えば、ポート数が１、２、４、８であるＣＳＩ−ＲＳリソースは１つの要素で構成され、基地局は１つの要素の位置を通知し、ポート数が４、８、１２、１６、２４、３２であるＣＳＩ−ＲＳリソースは複数の要素で構成され、基地局は複数の構成要素の情報を通知し、ポート数が４であるＣＳＩ−ＲＳリソースは２つの要素で構成され、基地局は２つの要素の位置を通知し、ポート数が１２であるＣＳＩ−ＲＳリソースは３つのＲＥ数が４である要素で構成され、基地局は３つの要素の位置を通知し、ポート数が１６であるＣＳＩ−ＲＳリソースはＲＥ数が４である要素で構成され、基地局は４つの要素の位置を通知し、ポート数が１６であるＣＳＩ−ＲＳリソースは２つのＲＥ数が８である要素で構成され、基地局は２つの要素の位置を通知する。
【００５９】
本実施例の他の好ましい実施形態では、基地局は、以下の方式のいずれかを使用して複数の構成要素の情報を決定する。上位層シグナリングが要素間の相対位置を定義し、選択された要素間の相対位置を端末に通知する。要素間の相対位置は要素のカテゴリ及びＣＳＩ−ＲＳリソースのポート数によって決定する。
【００６０】
上位層シグナリングは様々な相対位置を定義又は構成し、ＣＳＩ−ＲＳリソースパターンの多様性と柔軟性を実現できる。選択された相対位置のタイプを通知し、実際に使用されるＣＳＩ−ＲＳリソースパターンを通知するシグナリングのオーバーヘッドを節約できる。
【００６１】
要素間の相対位置は要素のカテゴリとＣＳＩ−ＲＳリソースのポート数によって決定し、ＣＳＩ−ＲＳリソースパターンの多様性と柔軟性をある程度まで高めることができ、ＣＳＩ−ＲＳリソースパターンのシグナリング構成のオーバーヘッドを節約できる。
【００６２】
例えば、上位層シグナリングは、ポート数が４であるＣＳＩ−ＲＳの２つの要素の３つの相対位置を定義し、伝送用に選択された１つの相対位置を端末に通知し、ポート数が８であるＣＳＩ−ＲＳリソースは２つのＲＥ数が４である要素で構成され、上位層シグナリングは３つの相対位置を定義し、伝送用に選択された１つの相対位置を端末に通知し、ポート数が８であるＣＳＩ−ＲＳリソースは４つのＲＥ数が２である要素で構成され、上位層シグナリングが４つの相対位置を定義し、伝送用に選択された１つの相対位置を端末に通知する。
【００６３】
また、例えば、ポート数が４であるＣＳＩ−ＲＳリソースは、２つの（Ｙ、Ｚ）＝（２、１）要素で構成され、一方の要素間の相対位置に対応し、ポート数が４であるＣＳＩ−ＲＳリソースは２つの（Ｙ、Ｚ）＝（１、２）要素で構成され、他方の要素間の相対位置に対応し、ポート数が８であるＣＳＩ−ＲＳリソースは２つの（Ｙ、Ｚ）＝（４、１）要素で構成され、一方の要素間の相対位置に対応し、ポート数が８であるＣＳＩ−ＲＳリソースは２つの（Ｙ、Ｚ）＝（１、４）要素で構成され、他方の要素間の相対位置に対応し、ポート数が８であるＣＳＩ−ＲＳリソースは２つの（Ｙ、Ｚ）＝（２、２）要素で構成され、さらに他方の要素間の相対位置に対応する。
【００６４】
本実施例の他の好ましい実施形態では、基地局が以下の方式のいずれかを使用して複数の構成要素の情報を通知する。上位層シグナリングは要素間の相対位置を端末に通知し、物理層シグナリングは要素の開始位置を通知する。上位層シグナリングは要素の開始位置を端末に通知し、物理層シグナリングは要素間の相対位置を端末に通知する。
【００６５】
要素間の相対位置は、ＣＳＩ−ＲＳリソースパターンを決定することに用いられ、開始位置は、ＣＳＩ−ＲＳリソースパターンの位置を決定することに用いられる。上位層シグナリングは相対的遅く変化し、物理層シグナリングは相対的速く変化する。上位層シグナリングは要素間の相対位置を通知し、物理層シグナリングは要素の開始位置を通知し、ＣＳＩ−ＲＳリソースパターンと位置を端末に通知できるだけでなく、物理層シグナリングのオーバーヘッドを削減しつつ、ＣＳＩ−ＲＳリソースパターンの位置を柔軟に構成できる。上位層シグナリングは要素の開始位置を端末に通知し、物理層シグナリングは要素間の相対位置を端末に通知し、ＣＳＩ−ＲＳリソースパターンと位置を端末に通知でけるだけでなく、物理層シグナリングのオーバーヘッドを削減しつつ、ＣＳＩ−ＲＳリソースパターンを柔軟にハンチできる。
【００６６】
例えば、ポート数がＮであるＣＳＩ−ＲＳリソースは、Ｍ要素で構成され、上位層シグナリングは、Ｍ要素間の時間領域相対位置を構成し、又はＭ要素間の周波数領域相対位置を構成し、若しくは、Ｍ要素間の時間領域と周波数領域位置を同時に構成し、物理層シグナリングは第１の要素の開始位置を通知し、又は第２の要素の開始位置を通知し、又は最後の要素の開始位置を通知し、若しくは、物理層が通知する開始位置は時間領域位置であり、又は周波数領域位置であり、又は時間領域と周波数領域の組み合わせ位置である。ただし、ＮとＭは正の整数である。
【００６７】
また、例えば、ポート数がＮであるＣＳＩ−ＲＳリソースはＭ要素で構成され、上位層シグナリングは第１の要素の開始位置を構成し、又は第２の要素の開始位置を構成し、又は最後の要素の開始位置を構成し、若しくは、上位層が構成する開始位置は時間領域位置であり、又は周波数領域位置であり、又は時間領域と周波数領域の組み合わせ位置である。
【００６８】
物理層シグナリングはＭ要素間の時間領域相対位置を通知し、又はＭ要素間の周波数領域相対位置を通知し、又はＭ要素間の時間領域と周波数領域の位置を通知する。ただし、ＮとＭは正の整数である。
【００６９】
本実施例の他の好ましい実施形態では、上位層シグナリングは、構成要素の複数の位置を予定し、そして、以下のいずれかの方式で指示する。位置の番号で指示する。ビットマップ（ｂｉｔｍａｐ）の方式で指示する。上位層シグナリングは、構成要素の複数の位置を予定し、そして、位置番号又はビットマップにより指示し、ＣＳＩ−ＲＳリソースのパターンと位置を端末に通知できる。予定の複数の位置によって、ＣＳＩ−ＲＳリソースパターンと位置の様々な可能性を提供でき、指示により選択の柔軟性を提供でき、位置番号指示又はビットマップにより、シグナリングのオーバーヘッドを節約できる。
【００７０】
例えば、上位層シグナリングは時間領域においてＬ位置を予定し、又は周波数領域においてＱ位置を予定し、又は時間領域と周波数領域の組み合わせのＲ位置を予定する。異なる位置は、異なる番号に対応し、異なるビットの組み合わせ状態によって指示する。又は異なる位置は１つの指示ビットに対応し、１ビットによって１つの位置を指示する。１つの位置を指示し、１つの要素の位置を通知し、ＣＳＩ−ＲＳリソースパターン全体の位置を指示する。複数の位置を指示し、複数の要素の位置を通知し、ＣＳＩ−ＲＳリソースパターンと位置を指示する。
【００７１】
本実施例の他の好ましい実施形態では、基地局は以下のいずれかの方式で要素の位置を通知する。要素の時間領域位置における最初のＯＦＤＭの位置を通知し、要素の周波数領域位置における周波数が最も低いサブキャリアの位置を通知する。要素の時間領域位置で最後のＯＦＤＭの位置を通知し、要素の周波数領域位置における周波数が最も低いサブキャリアの位置を通知する。要素は複数のＲＥで構成され、最初の時間領域位置、及び最も低い周波数領域位置を持つＲＥの位置が要素の位置として通知される。又は、最後の時間領域位置、及び最も低い周波数領域位置を持つＲＥの位置が要素の位置として通知される。要素周波数領域の最低位置と、周波数領域において要素が占めるサブキャリアの数とを使用して、加算により周波数領域における要素の最高位置を算出でき、加算演算の複雑さが低いため、演算の複雑さが低減する効果が得られる。ＣＳＩ−ＲＳリソースパターンの最初のＲＥの位置が最後のＲＥ位置よりも参照の時間領域位置に近い場合、時間領域位置は要素の最初のＲＥ位置を通知し、要素の時間位置と参照時間領域位置の差を減らすことができ、シグナリングのオーバーヘッドを減らすことができる。同様に、ＣＳＩ−ＲＳリソースパターンの最後のＲＥの位置が最初のＲＥ位置よりも参照の時間領域位置に近い場合、時間領域位置は要素の最後のＲＥ位置を通知し、要素の時間位置と参照時間領域位置の差を減らすことができ、シグナリングのオーバーヘッドを減らすことができる。
【００７２】
例えば、（Ｙ、Ｚ）＝（４、１）である要素に対して、周波数が最も低いＲＥの位置を通知し、（Ｙ、Ｚ）＝（４、２）である要素に対して、周波数が最も低い、且つ最初のＲＥの位置を通知し、（Ｙ、Ｚ）＝（２、４）である要素に対して、周波数が最も低い且つ最初のＲＥの位置を通知し、（Ｙ、Ｚ）＝（２、１）である要素に対して、周波数が最も低いＲＥの位置を通知し、（Ｙ、Ｚ）＝（４２、２）である要素に対して、周波数が最も低い且つ最後のＲＥの位置を通知し、（Ｙ、Ｚ）＝（２、２）である要素に対して、周波数が最も低い且つ最後のＲＥの位置を通知する。
【００７３】
本実施例の他の好ましい実施形態では、基地局は、要素グループの複数の位置を通知する。
【００７４】
基地局が要素グループの複数の位置を通知することで、柔軟で多様な要素グループ間の密度パターンを形成でき、ＣＳＩ−ＲＳリソース密度変化の需要を満し、また、他の可変なパイロット信号と共存し、他の可変な制御チャネルと共存し、他の可変なデータチャネルと共存し、可変なスロット構造と共存することもできる。本出願によるＣＳＩ−ＲＳリソース密度は、周波数領域においてポートごとに各リソースブロック（ＲＢ、Ｒｅｓｏｕｒｃｅ  Ｂｌｏｃｋ）に１つのＲＥより低くなるように構成されてもよく、ポートごとに各ＲＢに１つのＲＥより高くなるように構成されてもよく、ポートごとに各ＲＢが１つのＲＥを持つように構成されてもよい。また、本出願は、異なる時間領域位置で複数のビームを測定する電力、即ち、ビーム走査用の電力を提供できる。復調パイロット信号は、異なるＲＢのパターンで変化する場合、又は異なる時間領域単位で変化する場合、本出願によるＣＳＩ−ＲＳリソースと共存できる。位相追跡パイロットは、異なるＲＢパターンで変化する場合、本出願によるＣＳＩ−ＲＳリソースと共存できる。他の制御チャネル、データチャネルは、周波数領域でのパターン又は時間領域でのパターンが変化する場合、本出願によるＣＳＩ−ＲＳリソースと共存できる。
【００７５】
例えば、基地局は要素グループのＭ位置を通知し、Ｍは正の整数である。基地局は、例えば、要素グループ間の間隔、周波数領域での間隔、又は周波数領域での間隔等の１つのパラメータによってＭ位置を通知してよい。基地局は２つのパラメータによってＭ位置を通知してよく、一方のパラメータは特定の要素グループの位置であり、この要素グループは開始要素グループ、終了要素グループ、又は特定番号の要素グループであってもよく、他方のパラメータは要素グループ間の間隔である。基地局は２組のパラメータによってＭ位置を通知してよく、一方のパラメータ組は、特定の要素グループの位置であり、この要素グループは開始要素グループ、終了要素グループ、又は特定番号の要素グループであってもよい、他方のパラメータ組は要素グループ間の相対位置である。基地局はＭ個のパラメータ又はＭ組のパラメータによってＭ位置をそれぞれ通知してもよい。また、例えば、要素グループ位置の数Ｍは基地局によって通知又は指示されてもよく、又は、要素グループ位置の数Ｍは予定してもよい。
【００７６】
本実施例の他の好ましい実施形態では、基地局が通知する要素グループの位置情報は、要素グループが位置するＲＢの位置、及びサブキャリアの位置を含む。
【００７７】
サブキャリアは周波数領域の最小単位であり、ＲＢは複数のサブキャリアで構成される。基地局は２グループの周波数領域単位から要素グループの位置を通知する。要素グループの具体的な位置を所定の範囲内ではっきり通知でき、シグナリングのオーバーヘッドを節約できる。
【００７８】
例えば、基地局は、要素グループが第Ｍ０のＲＢに位置し、第Ｎ０のサブキャリアに位置することを通知する。又は、基地局は、要素グループがＭ０個のＲＢをオフセットし、Ｎ０個のサブキャリアをオフセットすること通知する。又は、基地局は、要素グループがＭ０個のＲＢに位置し、第Ｎ０のサブキャリアをオフセットすることを通知する。又は、基地局は、要素グループがＭ０個のＲＢをオフセットし、第Ｎ０のサブキャリアに位置することを通知する。また、例えば、要素グループが１つ前の番号の要素グループの位置を参照として、Ｍ０個のＲＢをオフセットし、又は、第ｋの要素グループがｋ個のＲＢを参照としてＭ０個のＲＢをオフセットし、又は、要素グループが予定の参照位置でＭ０個のＲＢをオフセットする。
【００７９】
例えば、要素グループが１つ前の番号の要素グループの位置を参照として、Ｎ０個のサブキャリアをオフセットし、又は、要素グループが予定の参照位置でＭ０個のサブキャリアをオフセットし。例えば、ポートごとに各ＲＢが１つのＲＥを持つ場合における要素グループの位置を参照として、要素グループがオフセットする。例えば、要素グループが占めるサブキャリア数を単位としてオフセットし、又は、要素グループが占めるＲＥ数を単位としてオフセットする。例えば、各要素グループは同じパラメータを使用してオフセットし、又は、各要素グループは独立したパラメータを使用してオフセットし、又は、各要素グループは同じパラメータを使用してＲＢのオフセットを実行し、又は、各要素グループは同じパラメータを使用してサブキャリアのオフセットを実行する。例えば、要素グループのＲＢ位置パラメータとサブキャリア位置パラメータとをまとめて符号化する。ただし、Ｍ０、Ｎ０、ｋは整数である。
【００８０】
本実施例の他の好ましい実施形態では、チャネル状態情報パイロットの情報は、チャネル状態情報パイロットの周波数領域密度情報をさらに含み、基地局は以下の方式によって要素グループの位置を指示する。
【００８１】
基地局は、チャネル状態情報パイロットの周波数領域密度情報によって要素グループの位置を指示し、各リソースブロックにおいて、各Ｋ個のサブキャリアが１つの要素グループを担持することに用いられ、ただし、Ｋは正の整数である。
【００８２】
各Ｋ個のサブキャリアが１つの要素グループを担持することに用いられることで、１ＲＥ／ＲＢ／ｐｏｒｔより大きい密度のチャネル状態情報パイロットを提供でき、サブキャリア間隔が１５ｋＨｚより大きい無線伝送をサポートするように、チャネル推定の精度を高めることができる。Ｋは、パイロットの周波数領域密度を制御して、パイロットによりチャネル推定の品質を制御するように、パイロットの周波数領域密度情報によって指示される。
【００８３】
例えば、各Ｋ個のサブキャリアに１つの要素グループが含まれ、各要素グループのパターンが同様である。又は、各Ｋ個のサブキャリアに１つの要素グループが含まれ、各要素グループのパターンがそれぞれ独立する。例えば、Ｋの値は１であると、サブキャリアごとに１つの要素グループがあり、各リソースブロックには１２つの要素グループがあり、Ｋの値は３であると、３つのサブキャリアごとに１つの要素グループがあり、各リソースブロックには４つの要素グループがあり、Ｋの値は４であると、４つのサブキャリアごとに１つの要素グループがあり、各リソースブロックには３つの要素グループがあり、Ｋの値は６であると、６つのサブキャリアごとに１つの要素グループがあり、各リソースブロックには２つの要素グループがあり、Ｋの値は１２であると、１２個のサブキャリアごとに１つの要素グループがあり、各リソースブロックには１つの要素グループがある。例えば、パイロットの周波数領域密度は１ＲＥ／ＲＢ／ｐｏｒｔであると、Ｋの値が１２であることが示され、又は、パイロットの周波数領域密度は２ＲＥ／ＲＢ／ｐｏｒｔであると、Ｋの値が６であることが示され、又は、パイロットの周波数領域密度は２ＲＥ／ＲＢ／ｐｏｒｔであると、Ｋの値が４であることが示され、又は、パイロットの周波数領域密度は４ＲＥ／ＲＢ／ｐｏｒｔであると、Ｋの値が３であることが示され、又は、パイロットの周波数領域密度は６ＲＥ／ＲＢ／ｐｏｒｔであると、Ｋの値が２であることが示され、又は、パイロットの周波数領域密度は１２ＲＥ／ＲＢ／ｐｏｒｔであると、Ｋの値が１であることが示される。
【００８４】
本実施例の他の好ましい実施形態では、周波数領域密度情報が指示する周波数領域密度値は１より大きい場合、１２は前記周波数領域密度値で割り切れ可能であり、周波数領域密度値は、各ポートの各リソースブロックにおいてチャネル状態情報パイロットのパターンが占めるリソースエレメントの数である。
【００８５】
周波数領域密度値は１２を割り切れる正の整数、整数のサブキャリアごとに１つの要素グループがある機能を提供でき、それにより、各周波数領域において一致してパイロット密度を提供でき、各周波数領域位置で同じ性能を有するチャネル推定性能を提供できる。
【００８６】
例えば、周波数領域密度値は２であり、６つのサブキャリアごとに１つの要素グループがあり、又は、周波数領域密度値は３であり、４つのサブキャリアごとに１つの要素グループがあり、又は、周波数領域密度値は４であり、３つのサブキャリアごとに１つの要素グループがあり、又は、周波数領域密度値は６であり、２つのサブキャリアごとに１つの要素グループがあり、又は、周波数領域密度は１２であり、１つのサブキャリアごとに１つの要素グループがある。
【００８７】
本実施例の他の好ましい実施形態では、要素グループは、周波数領域に等間隔構成される。
【００８８】
要素グループは周波数領域に等間隔構成されることで、異なる周波数領域密度を生成し、同じ組内の要素をよりコンパクトにする同時に、ＣＳＩ−ＲＳの伝送の複雑さ及び受信の複雑さが低減し、シグナリングのオーバーヘッドを節約することができる。
【００８９】
例えば、要素グループは、ＲＢを単位として等間隔に構成され、サブキャリアを単位として等間隔に構成され、要素グループが占めるサブキャリアを単位として等間隔に構成され、又は、要素グループが跨るサブキャリアを単位として等間隔に構成される。例えば、他の信号が占めるサブキャリアを除外した後に、要素グループは等間隔となり、又は、他のチャネルが占めるサブキャリアを除外した後に、要素グループは等間隔となり、又は要素グループは予定のサブキャリアで等間隔となり、又は、要素グループは、事前に通知されるサブキャリアで等間隔となる。
【００９０】
本実施例の他の好ましい実施形態では、基地局は、複数の要素グループパターンに使用されるＲＢ数を通知する。若しくは、基地局は、複数の要素グループが示すパターンに使用されるリソースブロック位置を端末に通知する。
【００９１】
基地局は、複数の要素グループパターンが占めるＲＢ数がＭ１であることを通知し、要素グループは、特定の相対位置で要素グループ間のパターンを形成し、このような要素グループ間のパターンは、ＣＳＩ−ＲＳリソースによって伝送される帯域幅で、Ｍ１個のＲＢを単位として繰り返される。本出願は、Ｍ１個のＲＢを単位としての周波数領域範囲内に様々な要素グループ間の相対位置パターンを提供し、パターン位置の多様性と柔軟性に対するシステムの需要を満すながら、システムの複雑さが低減し、シグナリングのオーバーヘッドを節約する。要素グループ間の相対位置パターンには、要素グループ間の密度が含まれ、ＣＳＩ−ＲＳリソース密度も含まれる。ただし、Ｍ１は正の整数である。
【００９２】
基地局は、ＣＳＩ−ＲＳ伝送の周波数領域位置、及びチャネル状態の推定に必要がある周波数領域位置を指示するように、複数の要素グループが示すパターンに使用されるリソースブロック位置を指示する。
【００９３】
例えば、複数の要素グループのパターンはＭ１個のＲＢにあると、要素グループは等間隔であってもよく、又は等間隔ではないでもよい。要素グループの数Ｎ１はＭ１より小さくてもよく、Ｍ１より大きくてもよく、又はＭ１に等しくてもよい。複数の要素グループパターンに使用されるＲＢの数Ｍ１は、ＣＳＩ−ＲＳリソース密度の分母によって指示されてもよく、又は、複数の要素グループパターンに使用されるＲＢの数Ｍ１によって直接に指示されてもよい。又は、要素グループの数と複数の要素グループパターンに使用されるＲＢの数とをまとめて符号化し、シグナリングのオーバーヘッドを節約できる。又は、複数の要素グループパターンに使用されるＲＢの数は、例えば、サブキャリアの整数倍、ＲＢの整数倍、要素グループが占めるサブキャリアの整数倍、又は要素グループが跨るサブキャリアの整数倍等の、他の周波数領域単位によって指示される。
【００９４】
例えば、基地局は、複数の要素グループが示すパターンに使用されるリソースブロック位置が連続的又は不連続的であることを指示する。又は、複数のリソースブロックからなるグループを単位として指示する。
【００９５】
本実施例の他の好ましい実施形態では、ゼロ出力ＣＳＩ−ＲＳの場合、基地局はＣＳＩ−ＲＳリソースの構成要素の複数のカテゴリ及び各カテゴリ要素の位置を通知する。
【００９６】
ＣＳＩ−ＲＳはゼロ出力で発射され、ゼロ出力で発射されるＣＳＩ−ＲＳリソースは複数のカテゴリの要素で構成され、柔軟性の要求を満し、シグナリングのオーバーヘッドを節約するように、様々なタイプのゼロ出力ＣＳＩ−ＲＳリソースパターンを形成できる。基地局は、正確なゼロ出力ＣＳＩ−ＲＳリソースパターン及び位置を形成するように、各カテゴリ要素の位置を通知する。
【００９７】
例えば、基地局が通知するＣＳＩ−ＲＳリソースの構成要素のカテゴリは、ＲＥ数で区別されるカテゴリであってもよく、要素パターンで区別されるカテゴリであってもよい、例えば、（Ｙ、Ｚ）配列では、Ｙは要素が占める周波数領域のサブキャリアの数であり、Ｚは要素が占める時間領域単位の数である。基地局は、要素グループで区別されたカテゴリを通知してもよい。異なるカテゴリの要素位置は異なるレベルのシグナリングによって通知され、又は、同じレベルのシグナリングによって通知され、又は、異なるカテゴリの要素は同じ方式によって通知され、又は、異なるカテゴリの要素は異なる方式によって通知され、又は、異なるカテゴリの要素位置は個別で通知され、又は、異なるカテゴリの要素位置は共同通知され。又は、要素の位置を事前に定義又は構成し、そして、発射されるゼロ出力ＣＳＩ−ＲＳリソースパターンに使用される要素位置を指示し、又は、発射されるゼロ出力ＣＳＩ−ＲＳリソースパターンに使用される要素位置を構成し、又は、発射されるゼロ出力ＣＳＩ−ＲＳリソースパターンに使用される部分の要素位置を先に構成し、次に残り部分の要素位置を指示する。
【００９８】
本実施例の他の好ましい実施形態では、基地局はビットマップ（ｂｉｍａｐ）の方法によって各カテゴリ要素の位置を通知する。
【００９９】
基地局は、１つの要素の位置を１つのビットで示し、対応する位置が使用されることをビットの１つの状態で示し、対応する位置が使用されないことをビットの他の状態で示す。基地局は、ビットマップの方法によってゼロ出力発射のＣＳＩ−ＲＳリソースを構成する複数のカテゴリ要素の位置を同時に指示する。この形態によれば、ＣＳＩ−ＲＳリソースパターンと位置の柔軟性を提供しながら、システムの複雑さが低減し、シグナリングのオーバーヘッドを節約することができる。
【０１００】
例えば、ゼロ出力ＣＳＩ−ＲＳリソースを構成する各カテゴリ要素は、ビットマップ用のビットセットに個別に対応し、又は、ゼロ出力ＣＳＩ−ＲＳリソースを構成するすべてのカテゴリ要素は、ビットマップ用のビットセットに共同で対応する。又は、使用されるビットセットの長さは構成可能であり、又は、使用されるビットセットの長さはプロトコルによって予定される。又は、使用されるビットセットの数は構成可能であり、又は、使用されるビットセットの数はプロトコルによって予定される。又は、使用されるカテゴリ要素は、１つのビットセットに共同で対応し、各カテゴリ要素は、ビットセット内の異なるビット間隔、つまりビットセグメントをそれぞれ使用する。又は、各カテゴリ要素に使用されるビットセグメントの長さは構成可能であり、又は、各ビットセグメントの長さは個別に構成され、又は、各ビットセグメントの長さは共同で構成され、又は、各ビットセグメントの長さはプロトコルによって予定され、又は、各ビットセグメントの長さが等しく、又は、ビットセグメントの数は構成可能であり、又は、ビットセグメントの数はプロトコルによって予定される。又は、ゼロ出力ＣＳＩ−ＲＳリソースパターンの要素の構成可能な位置範囲をプロトコルによって予定して、ゼロ出力ＣＳＩ−ＲＳリソースパターンに使用される要素位置をビットマップによって指示する。又は、ゼロ出力ＣＳＩ−ＲＳリソースパターンの要素の構成可能な位置範囲を事前に構成して、ゼロ出力ＣＳＩ−ＲＳリソースパターンに使用される要素位置をビットマップによって指示する。又は、ゼロ出力ＣＳＩ−ＲＳリソースパターンの一部の要素位置を事前に構成して、ゼロ出力ＣＳＩ−ＲＳリソースパターンの残りの要素位置をビットマップによって指示する。又は、ゼロ出力ＣＳＩ−ＲＳリソースパターンのビット位置を事前に構成して、一部の要素位置の使用の変更をビットマップによって指示する。
【０１０１】
本実施例の別の好ましい実施形態では、ＣＳＩ−ＲＳポート数と要素カテゴリとをまとめて符号化する方式、要素の位置をまとめて符号化する方式、要素のカテゴリと要素の位置とをまとめて符号化する方式、ＣＳＩ−ＲＳのポート数と要素の位置とをまとめて符号化する方式、のいずれかを使用してまとめて符号化する。
【０１０２】
異なるＣＳＩ−ＲＳポート数のＣＳＩ−ＲＳリソースに使用される要素カテゴリが異なり、つまり、特定のＣＳＩ−ＲＳポート数とそれに対応可能な要素カテゴリには関連性があるため、ＣＳＩ−ＲＳポート数と要素カテゴリとをまとめて符号化することで、シグナリングのオーバーヘッドを節約できる。特定のリソースパターンを形成する要素位置のセットには関連性があるため、要素の位置をまとめて符号化することで、シグナリングのオーバーヘッドを節約できる。要素のカテゴリとそれに対応する要素の位置には関連性があるため、要素のカテゴリと要素の位置とをまとめて符号化することで、シグナリングのオーバーヘッドを節約できる。ＣＳＩ−ＲＳのポート数とそれに対応する要素の位置には関連性があるため、ＣＳＩ−ＲＳのポート数と要素の位置とをまとめて符号化することで、シグナリングのオーバーヘッドを節約できる。
【０１０３】
例えば、ＣＳＩ−ＲＳポート数はＭ２種であり、要素カテゴリはＮ２種であり、実際にＣＳＩ−ＲＳポート数と要素カテゴリの組み合わせ状態はＬ２であり、ＣＳＩ−ＲＳリソースに対応するＣＳＩ−ＲＳポート数と要素カテゴリをＸ２個の番号又は状態によって指示し、又は、Ｘ２＝Ｌ２、又はＬ２＜Ｘ２＜Ｍ２＊Ｎ２、式中、記号「＊」は乗算演算を示す。
【０１０４】
本実施例の別の好ましい実施形態では、基地局が通知する構成要素の時間領域位置の下り発射スロットが存在しない場合、方法は、基地局が、チャネル状態情報パイロットを発射しないことと、基地局が１つの時間ウィンドウを端末に通知し、通知される時間ウィンドウが指示する第１の下りスロット内でチャネル状態情報パイロットを発射することと、基地局がチャネル状態情報パイロットの発射周期を通知し、構成された発射周期に対応する無線フレームに含まれる下りスロットの数、及びチャネル状態情報パイロットの発射に対応する無線フレームに含まれる下りスロットの数により、チャネル状態情報パイロットの時間領域位置を指示することと、のいずれかをさらに含む。
【０１０５】
チャネル状態情報パイロットは発射されず、エラーを回避するメカニズムを提供する。基地局が１つの時間ウィンドウを通知し、時間ウィンドウが指示する第１の下りスロット内でチャネル状態情報パイロットを発射することで、再送信する機械を提供し、発射すべくタイミングに間に合うようにする。基地局がチャネル状態情報パイロットの発射周期をさらに通知し、構成された発射周期に対応する無線フレームに含まれる下りスロットの数、及びチャネル状態情報パイロットの発射に対応する無線フレームに含まれる下りスロットの数により、チャネル状態情報パイロットの時間領域位置を指示することで、再送信する機械を提供し、再送信する機会のスロットの負担が低減する。
【０１０６】
例えば、パイロットはＴ＋Ｓ個のスロットに発射するように構成され、データを伝送する無線フレームに、下りスロットがＴ個だけあり、基地局はＴ＋Ｓ番目のスロットにパイロットを発射しない。ＳがＴより大きいか、ＳがＴに等しいか、ＳがＴより小さい。
【０１０７】
例えば、基地局は端末のために１つの時間ウィンドウＵをさらに構成し、ＵがＳより大きい、パイロットはＴ＋ＳからＴ＋Ｕまでの間に第１の下りスロットで発射され、ＵがＴより大きいか、ＵがＴに等しいか、ＵがＴより小さい。
【０１０８】
例えば、構成された発射周期に対応する無線フレームに含まれる下りスロットの数はＡであり、チャネル状態情報パイロットの発射に対応する無線フレームに含まれる下りスロットの数はＢであり、構成された発射スロットはＳ＋Ｔ番目のスロットであり、実際の発射に指示するスロットはｍｏｄ（Ｓ＋Ｔ、Ｂ）、ｍｏｄ（）は剰余演算である。
【０１０９】
本実施例の別の好ましい実施形態では、構成要素の情報は構成要素の周波数領域位置を含み、基地局が、構成要素の周波数領域位置を端末に通知することは、基地局が、構成要素のために複数の周波数領域位置のうちの１つを選択し、構成要素のために選択した周波数領域位置を端末に通知することを含み、複数の周波数領域位置は予定されたものであり、構成要素が周波数領域において１つのサブキャリアを占める場合、リソースブロックの任意のサブキャリアの周波数領域位置を予定の周波数領域位置とすることが許され、構成要素が周波数領域において複数のサブキャリアを占める場合、リソースブロックの２つの隣接する予定の周波数領域位置間の間隔を２つのサブキャリアとすることが許される。
【０１１０】
周波数領域における要素のサイズが１つのサブキャリアである場合、リソースブロックにおける各サブキャリア位置は予定位置であり、サイズが１つのサブキャリアである要素に対して最小精度が１つのサブキャリアである位置を提供してもよい。周波数領域における要素のサイズが１つのサブキャリアより大きい場合、２つの隣接する予定位置間の間隔を２つのサブキャリアとすることが許され、比較的大きい要素に対してより多く選択可能な位置を提供し、予定位置が任意の位置にある場合に無駄になる問題を回避できる。
【０１１１】
例えば、周波数領域サイズが１つのサブキャリアの要素は、（Ｙ、Ｑ）＝（１、２）、又は（Ｙ、Ｑ）＝（１、４）であってもよい。リソースブロックのサイズがＶであってもよく、即ち、Ｖ個のサブキャリアが含まれ、Ｖは１２、又は２４であってもよい。リソースブロックにおける各サブキャリアいずれも予定の位置である。周波数領域サイズが１サブキャリアより大きい要素は、（Ｙ、Ｑ）＝（２、１）、（Ｙ、Ｑ）＝（２、４）、（Ｙ、Ｑ）＝（４、１）、（Ｙ、Ｑ）＝（４、２）、又は（Ｙ、Ｑ）＝（８、１）であってもよい。予定の位置は０番目のサブキャリア、２番目のサブキャリア、４番目のサブキャリア、６番目のサブキャリア、８番目のサブキャリア、１０番目のサブキャリアであってもよく、又は、０番目のサブキャリア、２番目のサブキャリアであってもよく、又は、０番目のサブキャリア、２番目のサブキャリア、４番目のサブキャリアであってもよく、又は、０番目のサブキャリア、２番目のサブキャリア、４番目のサブキャリア、６番目のサブキャリアであってもよく、又は、４番目のサブキャリア、６番目のサブキャリア、８番目のサブキャリアであってもよい。
【０１１２】
本実施例の別の好ましい実施形態では、基地局はＣＳＩ−ＲＳのカテゴリを通知する。
【０１１３】
ＣＳＩ−ＲＳのカテゴリが異なり、その機能作用が異なり、ＣＳＩ−ＲＳリソースパターンの構成方式に違いがあるか、ＣＳＩ−ＲＳリソースパターンの位置も違いがある。ＣＳＩ−ＲＳのカテゴリ情報を通知することで、ＣＳＩ−ＲＳリソースパターン及び位置を通知するシグナリングのオーバーヘッドを節約し、システムの複雑さが低減できる。
【０１１４】
例えば、ＣＳＩ−ＲＳはチャネル状態取得用のカテゴリであり、又は、ＣＳＩ−ＲＳはビーム走査用のカテゴリ、モビリティ管理用のカテゴリ、又は、位相追跡用のカテゴリである。
【０１１５】
上記の実施形態の説明によれば、当業者は、上記の実施例による方法がソフトウェア及び必要な汎用ハードウェア・プラットフォームによって実現できることを明確に理解することができ、ハードウェアも当然に使用できるか、多くの場合、前者の方がより良い実施形態である。このような理解に基づいて、本発明の技術的解決手段は、本質的に又は従来技術に貢献する部分をソフトウェア製品として具現化することができ、当該コンピュータ・ソフトウェア製品は記憶媒体（例えば、読み取り専用メモリ（ＲＯＭ、Ｒｅａｄ−Ｏｎｌｙ  Ｍｅｍｏｒｙ）／ランダムアクセスメモリ（ＲＡＭ、Ｒａｎｄｏｍ  Ａｃｃｅｓｓ  Ｍｅｍｏｒｙ）、磁気ディスク、光ディスク）に記憶され、端末デバイス（携帯電話、コンピュータ、サーバ、又はネットワークデバイス等）に本発明の各実施例による方法を実行させるためのいくつかの命令を含む。
【０１１６】
実施例２
本発明の実施例は、チャネル状態情報パイロットの伝送デバイスをさらに提供する。当該デバイスは、上記の実施例及び好ましい実施形態を実現することに用いられ、説明されたものは省略される。以下で使用されるように、用語「モジュール」は、所定の機能を実現可能なソフトウェア及び／又はハードウェアの組み合わせである。以下の実施例で説明されるデバイスは、ソフトウェアで実現されることが好ましいが、ハードウェア、又はソフトウェアとハードウェアの組み合わせで実現されることも可能であり、考えられる。
【０１１７】
図３は、本発明の実施例によるチャネル状態情報パイロットの伝送デバイスの模式図である。図３に示すように、当該デバイスは、決定ユニット３２、送信ユニット３４、及び発射ユニット３６を備えてもよい。
【０１１８】
決定ユニット３２は、チャネル状態情報パイロットの情報を決定するように構成される。
【０１１９】
ただし、チャネル状態情報パイロットの情報は少なくともチャネル状態情報パイロットポートの数、及び構成要素の情報を含み、チャネル状態情報パイロットポートはチャネル状態情報パイロットを発射するように構成され、チャネル状態情報パイロットリソースはチャネル状態情報パイロットを担持することに用いられる。
【０１２０】
送信ユニット３４は、チャネル状態情報パイロットの情報を端末に送信するように構成される。
【０１２１】
発射ユニット３６は、チャネル状態情報パイロットを発射するように構成される。
【０１２２】
上記の実施例によれば、決定ユニットは、チャネル状態情報パイロットの情報を決定し、チャネル状態情報パイロットの情報は少なくともチャネル状態情報パイロットポートの数、及びチャネル状態情報パイロットリソースの構成要素のカテゴリと構成要素の情報を含み、チャネル状態情報パイロットポートは、チャネル状態情報パイロットを発射するように構成され、チャネル状態情報パイロットリソースはチャネル状態情報パイロットを担持することに用いられ、送信ユニットは、チャネル状態情報パイロットの情報を端末に送信し、発射ユニットは、チャネル状態情報パイロットを発射する。したがって、関連技術におけるチャネル測定性能が低く、システムの複雑さが高いという技術的問題が解決され、システムの複雑さが低減し、チャネル状態の測定性能を高める技術的效果が得られる。
【０１２３】
一実施例では、構成要素の情報は構成要素の時間領域位置を含み、送信ユニットはさらに、１つの時間領域位置を参照として、構成要素の時間領域位置を端末に通知するように構成され、参照としての時間領域位置は、参照としての時間領域位置はスロットの最後のＯＦＤＭシンボルである方式と、参照としての時間領域位置はスロットのカテゴリによって指示される方式と、参照としての時間領域位置は上位層シグナリングによって構成される方式と、のいずれかの方式で決定される。
【０１２４】
一実施例では、構成要素は複数であり、送信ユニットは、選択された相対位置関係を端末に通知し、基地局が、上位層シグナリングにより複数の構成要素間の複数の相対位置関係を事前に端末に通知し、選択された相対位置関係は複数の相対位置関係の１つであるように構成される第１通知モジュールと、構成要素のカテゴリ及びチャネル状態情報パイロットポートの数を前記端末に送信し、構成要素のカテゴリ及びチャネル状態情報パイロットポートの数により複数の構成要素間の相対位置関係を指示するように構成される第２通知モジュールと、サブキャリアの間隔情報を端末に通知し、サブキャリアの間隔情報により複数の構成要素間の相対位置関係を指示し、サブキャリアはＯＦＤＭシステムにデータ又は信号を担持する周波数領域単位であり、サブキャリアの間隔情報は周波数領域単位間の間隔を指示することに用いられるように構成される第３通知モジュールと、チャネル状態情報パイロットポートの多重方式情報を端末に通知し、チャネル状態情報パイロットポートの多重方式情報により複数の構成要素間の相対位置関係を指示し、チャネル状態情報パイロットポートの多重方式はポートが無線リソースを共通で使用する方式を指示することに用いられるように構成される第４通知モジュールと、チャネル状態情報パイロットの生成シーケンスの情報を端末に通知し、チャネル状態情報パイロットの生成シーケンスの情報により複数の構成要素間の相対位置関係を指示し、生成シーケンスの情報はチャネル状態情報パイロットのシンボルを生成する時に使用される生成シーケンスであるように構成される第５通知モジュールと、を備える。
【０１２５】
一実施例では、構成要素は複数であり、送信ユニットは、上位層シグナリングにより複数の構成要素間の相対位置関係を端末に通知し、物理層シグナリングにより複数の構成要素の１つが位置する位置を端末に通知するように構成される第６通知モジュールと、物理層シグナリングにより複数の構成要素間の相対位置関係を端末に通知し、上位層シグナリングにより複数の構成要素の１つが位置する位置を端末に通知するように構成される第７通知モジュールと、を備える。
【０１２６】
一実施例では、構成要素の情報は、構成要素の時間領域位置及び周波数領域位置を含み、送信ユニットは、構成要素の時間領域位置における最初のＯＦＤＭシンボルの位置、構成要素の周波数領域位置における周波数が最も低いサブキャリアの位置を端末に通知するように構成される第９通知モジュールと、構成要素の時間領域位置における最後のＯＦＤＭシンボルの位置、構成要素の周波数領域位置における周波数が最も高いサブキャリアの位置を端末に通知するように構成される第１０通知モジュールと、構成要素の時間領域位置における最後のＯＦＤＭシンボルの位置、構成要素の周波数領域位置における周波数が最も低いサブキャリアの位置を端末に通知するように構成される第１１通知モジュールと、を備える。
【０１２７】
一実施例では、チャネル状態情報パイロットリソースの構成要素は複数の要素グループを含み、送信ユニットは、複数の要素グループの複数の位置情報を端末に通知し、位置情報のそれぞれは、複数の要素グループにおける各要素グループのために設定される位置を指示するように構成される第１２通知モジュール、を備える。
【０１２８】
一実施例では、要素グループの位置情報は、要素グループが位置するリソースブロックの位置と、要素グループが位置するサブキャリアの位置とを含む。
【０１２９】
一実施例では、チャネル状態情報パイロットの情報は、チャネル状態情報パイロットの周波数領域密度情報をさらに含み、送信ユニットは、チャネル状態情報パイロットの周波数領域密度情報により要素グループの位置を指示し、各リソースブロックでは、各Ｋ個のサブキャリアが１つの要素グループを担持することに用いられ、Ｋは正の整数であるように構成される。
【０１３０】
一実施例では、周波数領域密度情が指示する周波数領域密度値が１より大きい場合、１２は前記周波数領域密度値で割り切れ可能であり、周波数領域密度値は、各ポートの各リソースブロックにおいてチャネル状態情報パイロットのパターンが占めるリソースエレメントの数である。
【０１３１】
一実施例では、当該デバイスは、複数の要素グループが示すパターンに使用されるリソースブロックの数を端末に通知するように構成される第１通知ユニットと、複数の要素グループが示すパターンに使用されるリソースブロックの位置を端末に通知するように構成される第２通知ユニットと、をさらに含む。
【０１３２】
一実施例では、当該デバイスは、チャネル状態情報パイロットをゼロ出力で発射する場合、チャネル状態情報パイロットリソースの構成要素の複数のカテゴリ及び各カテゴリの構成要素の情報を端末に通知するように構成される第３通知ユニット、をさらに備える。
【０１３３】
一実施例では、第３通知ユニットは、ビットマップの方式によって、各カテゴリの構成要素の情報を端末に通知するように構成される。
【０１３４】
一実施例では、送信ユニットがチャネル状態情報パイロットの情報を端末に送信する時に、送信ユニットは、チャネル状態情報パイロットポートの数と構成要素のカテゴリとをまとめて符号化する方式と、少なくとも２つの構成要素の情報をまとめて符号化する方式と、構成要素のカテゴリと構成要素の情報とをまとめて符号化する方式と、チャネル状態情報パイロットポートの数と構成要素の情報とをまとめて符号化する方式と、のいずれかの方式でまとめて符号化する。
【０１３５】
一実施例では、送信ユニットが通知する構成要素の時間領域位置に下り発射スロットが存在しない場合、当該デバイスは、
送信ユニットがチャネル状態情報パイロットを発射しないように制御するように構成される制御ユニットと、１つの時間ウィンドウを端末に通知し、通知される時間ウィンドウが指示する第１の下りスロット内でチャネル状態情報パイロットを発射するように構成される第４通知ユニットと、チャネル状態情報パイロットの発射周期を通知し、構成された発射周期に対応するサブフレームに含まれるスロット数、及びチャネル状態情報パイロットの発射に対応するサブフレームのスロット数により、チャネル状態情報パイロットの時間領域位置を指示するように構成される第５通知ユニットと、をさらに備える。
【０１３６】
一実施例では、構成要素の情報は、構成要素の周波数領域位置を含み、送信ユニットは、構成要素のために複数の周波数領域位置のうちの１つを選択し、構成要素のために選択した周波数領域位置を端末に通知することを含み、複数の周波数領域位置は予定されたものであり、構成要素が周波数領域において１つのサブキャリアを占める場合、リソースブロックの任意のサブキャリアの周波数領域位置を予定の周波数領域位置とすることが許され、構成要素が周波数領域において複数のサブキャリアを占める場合、リソースブロックの２つの隣接する予定の周波数領域位置間の間隔を２つのサブキャリアとすることが許されるように構成される選択モジュール、を備える。
【０１３７】
一実施例では、当該デバイスは、チャネル状態情報パイロットのカテゴリを端末に通知するように構成される第６通知ユニット、をさらに備える。
【０１３８】
なお、上記の各モジュールは、ソフトウェア又はハードウェアによって実現でき、後者の場合、上記のモジュールがすべで同じプロセッサに構成され、又は、上記のモジュールのそれぞれは、任意の組み合わせで異なるプロセッサに構成されるように実現できるが、これに限定されるものではだい。
【０１３９】
実施例３
本発明の実施例は、記憶媒体をさらに提供する。本実施例において、上記の記憶媒体は、以下のステップを実行するためのプログラムコードを記憶するように設定してもよい。
【０１４０】
Ｓ１１では、チャネル状態情報パイロットの情報を決定する。
【０１４１】
ただし、チャネル状態情報パイロットの情報は、少なくとも、チャネル状態情報パイロットポートの数と、チャネル状態情報パイロットリソースの構成要素のカテゴリ及び構成要素の情報とを含み、チャネル状態情報パイロットポートは、チャネル状態情報パイロットを発射するように構成され、チャネル状態情報パイロットリソースはチャネル状態情報パイロットを担持することに用いられる。
【０１４２】
Ｓ１２では、チャネル状態情報パイロットの情報を端末に送信する。
【０１４３】
Ｓ１３では、チャネル状態情報パイロットを発射する。
【０１４４】
一実施例では、記憶媒体はさらに、以下のステップを実行するためのプログラムコードを記憶するように設定される。
【０１４５】
Ｓ２１では、基地局は、選択された相対位置関係を端末に通知し、基地局は、上位層シグナリングにより複数の構成要素間の複数の相対位置関係を事前に端末に通知し、選択された相対位置関係は複数の相対位置関係の１つである。
【０１４６】
Ｓ２２では、基地局は、構成要素のカテゴリ及びチャネル状態情報パイロットポートの数を端末に送信し、構成要素のカテゴリ及びチャネル状態情報パイロットポートの数により複数の構成要素間の相対位置関係を指示する。
【０１４７】
Ｓ２３では、基地局は、サブキャリアの間隔情報を端末に通知し、サブキャリアの間隔情報により複数の構成要素間の相対位置関係を指示し、サブキャリアはＯＦＤＭシステムにデータ又は信号を担持する周波数領域単位であり、サブキャリアの間隔情報は周波数領域単位間の間隔を指示することに用いられる。
【０１４８】
Ｓ２４では、基地局は、チャネル状態情報パイロットポートの多重方式情報を端末に通知し、チャネル状態情報パイロットポートの多重方式情報により複数の構成要素間の相対位置関係を指示し、チャネル状態情報パイロットポートの多重方式情報はポートが共通の無線リソースを使用する方式を指示することに用いられる。
【０１４９】
Ｓ２４では、基地局は、チャネル状態情報パイロットの生成シーケンスの情報を端末に通知し、チャネル状態情報パイロットの生成シーケンスの情報により複数の構成要素間の相対位置関係を指示し、生成シーケンスの情報は、チャネル状態情報パイロットのシンボルを生成する時に使用される生成シーケンスである。
【０１５０】
本実施例では、上記の記憶媒体として、Ｕディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、モバイルハードディスク、磁気ディスク、又は光ディスク等のプログラムコードを記憶できる様々な媒体、が挙げられてもよいが、これらに限定されない。
【０１５１】
本実施例では、プロセッサは、記憶媒体に記憶されたプログラムコードに応じて以下の処理を実行する。基地局は、チャネル状態情報パイロットの情報を決定し、チャネル状態情報パイロットの情報は、少なくとも、チャネル状態情報パイロットポートの数と、チャネル状態情報パイロットリソースの構成要素のカテゴリ及び構成要素の情報とを含み、チャネル状態情報パイロットポートはチャネル状態情報パイロットを発射するように構成され、チャネル状態情報パイロットリソースはチャネル状態情報パイロットを担持することに用いられる。基地局は、チャネル状態情報パイロットの情報を端末に送信する。基地局は、チャネル状態情報パイロットを発射する。
【０１５２】
本実施例では、プロセッサは、記憶媒体に記憶されたプログラムコードに応じて以下の処理を実行する。基地局は、上位層シグナリングにより複数の構成要素間の複数の相対位置関係を事前に端末に通知し、複数の相対位置関係から１つを選択された相対位置関係を端末に通知する。基地局は、構成要素のカテゴリ及びチャネル状態情報パイロットポートの数を端末に送信し、構成要素のカテゴリ及びチャネル状態情報パイロットポートの数により複数の構成要素間の相対位置関係を指示する。基地局は、ＯＦＤＭシステムにデータ又は信号を担持する周波数領域単位であるサブキャリアの間隔情報を端末に通知し、サブキャリアの間隔情報により複数の構成要素間の相対位置関係を指示し、サブキャリアの間隔情報は周波数領域単位間の間隔を指示することに用いられる。基地局は、チャネル状態情報パイロットポートの多重方式情報を端末に通知し、チャネル状態情報パイロットポートの多重方式情報により複数の構成要素間の相対位置関係を指示し、チャネル状態情報パイロットポートの多重方式情報はポートが共通の無線リソースを使用する方式を指示することに用いられる。基地局は、チャネル状態情報パイロットの生成シーケンスの情報を端末に通知し、チャネル状態情報パイロットの生成シーケンスの情報により複数の構成要素間の相対位置関係を指示し、生成シーケンスの情報はチャネル状態情報パイロットのシンボルを生成する時に使用される生成シーケンスを指示することに用いられる。
【０１５３】
本実施例の具体例については、上記の実施例及び好ましい実施形態で説明した例を参照することができ、本実施例には再度説明しない。
【０１５４】
明らかに、本発明の上記の各モジュール又は各ステップは、汎用コンピューティングデバイスによって実現されでもよく、それらは、単一のコンピューティングデバイスに集中させ、又は複数のコンピューティングデバイスからなるネットワークに分散させ、コンピューティングデバイスが実行可能なプログラムコードによって実現されてもよく、したがって、それらは、コンピューティングデバイスによる実行するために記憶デバイスに記憶されてもよく、いくつかの場合、示された又は説明されたステップは、本明細書に説明されるものと異なる順番で実行されてもよく、又は、それらは、個々の集積回路モジュールにそれぞれ製造されてもよく、又は、複数のモジュール又はステップが単一の集積回路モジュールによって実現されてもよい、ことを当業者は理解するはずである。そのようにして、本発明は、任意のハードウェアとソフトウェアの特定の組み合わせに限定されるものではない。
【０１５５】
上記のようなものは、本発明の好ましい実施例にすぎず、本発明を限定するものではなく、本発明において様々な修正及び変更を行うことができることは、当業者には明らかであろう。本発明の精神及び原則内でなされた任意の修正、同等の置換、改善等は、本発明の範囲内に含まれることが意図されている。
【産業上の利用可能性】
【０１５６】
本発明の実施例では、基地局はチャネル状態情報パイロットの情報を決定し、チャネル状態情報パイロットの情報は、少なくとも、チャネル状態情報パイロットポートの数と、チャネル状態情報パイロットリソースの構成要素情報とを含み、チャネル状態情報パイロットポートはチャネル状態情報パイロットを発射するように構成され、チャネル状態情報パイロットリソースはチャネル状態情報パイロットを担持することに用いられ、基地局は、チャネル状態情報パイロットの情報を端末に送信し、基地局はチャネル状態情報パイロットを発射する。したがって、関連技術におけるチャネル測定性能が低く、システムの複雑さが高いという技術的問題が解決され、システムの複雑さが低減し、チャネル状態の測定性能を高める技術的效果が実現される。
【図１】
2020515172.tif 000003
【図２】
2020515172.tif 000004
【図３】
2020515172.tif 000005
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
基地局がチャネル状態情報参照信号の情報を決定することと、
前記基地局が前記チャネル状態情報参照信号の情報を端末に送信することと、
前記基地局が前記チャネル状態情報参照信号を発射することと、を含み、
前記チャネル状態情報参照信号の情報は、少なくとも、チャネル状態情報参照信号ポートの数と、構成要素の情報とを含み、前記チャネル状態情報参照信号ポートが前記チャネル状態情報参照信号を発射することに用いられ、前記チャネル状態情報参照信号リソースが前記チャネル状態情報参照信号を担持することに用いられる、
チャネル状態情報参照信号の伝送方法。
【請求項２】
前記構成要素の情報は、前記構成要素の時間領域位置を含み、前基地局が前記チャネル状態情報参照信号の情報を端末に送信することは、
前記基地局が、１つの時間領域位置を参照として、前記構成要素の時間領域位置を前記端末に通知すること、を含み、
参照としての時間領域位置は、前記参照としての時間領域位置がスロットの最後の直交周波数分割多重ＯＦＤＭシンボルである方式と、前記参照としての時間領域位置がスロットのカテゴリによって指示される方式と、前記参照としての時間領域位置が上位層シグナリングによって構成される方式と、のいずれかの方式で決定される、
請求項１に記載の方法。
【請求項３】
前記構成要素は複数であり、前記構成要素の情報は、前記構成要素のカテゴリと、前記構成要素の位置とを含み、前記基地局が複数の前記構成要素の情報を前記端末に通知することは、
前記基地局が、選択された相対位置関係を前記端末に通知し、前記基地局が、上位層シグナリングにより複数の前記構成要素間の複数の相対位置関係を事前に前記端末に通知し、選択された相対位置関係は前記複数の相対位置関係の１つであることと、
前記基地局が、前記構成要素のカテゴリ及び前記チャネル状態情報参照信号ポートの数を前記端末に送信し、これによって、前記構成要素のカテゴリ及び前記チャネル状態情報参照信号ポートの数により複数の前記構成要素間の相対位置関係を指示すること、
前記基地局が、サブキャリアの間隔情報を前記端末に通知し、これによって、前記サブキャリアの間隔情報により複数の前記構成要素間の相対位置関係を指示し、前記サブキャリアはＯＦＤＭシステムにおけるデータ又は信号を担持する周波数領域単位であり、前記サブキャリアの間隔情報は前記周波数領域単位間の間隔を指示することに用いられることと、
前記基地局が、前記チャネル状態情報参照信号ポートの多重方式情報を前記端末に通知し、これによって、前記チャネル状態情報参照信号ポートの多重方式情報により複数の前記構成要素間の相対位置関係を指示し、前記チャネル状態情報参照信号ポートの多重方式情報はポートが無線リソースを共通で使用する方式を指示することに用いられることと、
前記基地局が、前記チャネル状態情報参照信号の生成シーケンスの情報を前記端末に通知し、これによって、前記チャネル状態情報参照信号の生成シーケンスの情報により複数の前記構成要素間の相対位置関係を指示し、前記生成シーケンスの情報は、前記チャネル状態情報参照信号のシンボルを生成する時に使用される生成シーケンスであることと、の少なくとも１つを含む、
請求項１に記載の方法。
【請求項４】
前記構成要素は複数であり、前記基地局が複数の前記構成要素の情報を前記端末に通知することは、
前記基地局が、上位層シグナリングにより複数の前記構成要素間の相対位置関係を前記端末に通知し、物理層シグナリングにより複数の前記構成要素の１つの位置を前記端末に通知すること、又は、
前記基地局が、物理層シグナリングにより複数の前記構成要素間の相対位置関係を前記端末に通知し、上位層シグナリングにより複数の前記構成要素の１つの位置を前記端末に通知すること、を含む、
請求項１に記載の方法。
【請求項５】
前記構成要素の情報は、前記構成要素の時間領域位置と、周波数領域位置とを含み、前記基地局が前記構成要素の情報を前記端末に通知することは、
前記基地局が、前記構成要素の時間領域位置における最初のＯＦＤＭシンボルの位置、前記構成要素の周波数領域位置における周波数が最も低いサブキャリアの位置を前記端末に通知することと、
前記基地局が、前記構成要素の時間領域位置における最後のＯＦＤＭシンボルの位置、前記構成要素の周波数領域位置における周波数が最も高いサブキャリアの位置を前記端末に通知することと、
前記基地局が、前記構成要素の時間領域位置における最後のＯＦＤＭシンボルの位置、前記構成要素の周波数領域位置における周波数が最も低いサブキャリアの位置を前記端末に通知することと、の少なくとも１つを含む、
請求項１に記載の方法。
【請求項６】
前記チャネル状態情報参照信号リソースの構成要素は、複数の要素グループを含み、
前記基地局が複数の前記要素グループの複数の位置情報を前記端末に通知し、前記位置情報のそれぞれが複数の前記要素グループにおける各前記要素グループのために設定される位置を指示すること、をさらに含む、
請求項１に記載の方法。
【請求項７】
前記要素グループの位置情報は、前記要素グループが位置するリソースブロックの位置と、前記要素グループが位置するサブキャリアの位置とを含む、
請求項６に記載の方法。
【請求項８】
前記チャネル状態情報参照信号の情報は、前記チャネル状態情報参照信号の周波数領域密度情報をさらに含み、
前記基地局が、前記チャネル状態情報参照信号の周波数領域密度情報により前記要素グループの位置を指示し、各リソースブロックにおける各Ｋ個のサブキャリアが１つの要素グループを担持することに用いられ、Ｋは正の整数である、
請求項６に記載の方法。
【請求項９】
前記周波数領域密度情報が指示する周波数領域密度値は１より大きい場合、１２は前記周波数領域密度値で割り切れ可能であり、前記周波数領域密度値は、各ポートの各リソースブロックにおいて前記チャネル状態情報参照信号のパターンが占めるリソースエレメントの数である、
請求項８に記載の方法。
【請求項１０】
前記基地局が、複数の前記要素グループが示すパターンに使用されるリソースブロックの数を前記端末に通知すること、又は、
前記基地局が、複数の前記要素グループが示すパターンに使用されるリソースブロック位置を前記端末に通知すること、をさらに含む、
請求項６に記載の方法。
【請求項１１】
前記チャネル状態情報参照信号がゼロ出力で発射される場合、前記基地局が、前記チャネル状態情報参照信号リソースの構成要素の複数のカテゴリ、及び各カテゴリの構成要素の位置を前記端末に通知すること、をさらに含む、
請求項１に記載の方法。
【請求項１２】
前記基地局が各カテゴリの前記構成要素の位置を前記端末に通知することは、
前記基地局が、ビットマップの方式によって各カテゴリの前記構成要素の位置を前記端末に通知すること、を含む、
請求項１１に記載の方法。
【請求項１３】
前記構成要素の情報は、前記構成要素のカテゴリと、前記構成要素の位置とを含み、基地局が発射するチャネル状態情報参照信号の情報を端末に通知する時に、
前記チャネル状態情報参照信号ポートの数と前記構成要素のカテゴリとをまとめて符号化する方式と、
少なくとも２つの前記構成要素の位置をまとめて符号化する方式と、
前記構成要素のカテゴリと前記構成要素の位置とをまとめて符号化する方式と、
前記チャネル状態情報参照信号ポートの数と前記構成要素の位置とをまとめて符号化する方式と、のいずれかの方式でまとめて符号化すること、をさらに含む、
請求項１に記載の方法。
【請求項１４】
前記基地局が通知する前記構成要素の時間領域位置の下り発射スロットが存在しない場合、
前記基地局が前記チャネル状態情報参照信号を発射しないことと、
前記基地局が、１つの時間ウィンドウを前記端末に通知し、通知される時間ウィンドウが指示する第１の下りスロット内で前記チャネル状態情報参照信号を発射することと、
前記基地局が、前記チャネル状態情報参照信号の発射周期を通知し、構成された発射周期に対応する無線フレームに含まれる下りスロットの数、及び前記チャネル状態情報参照信号の発射に対応する無線フレームに含めれる下りスロットの数により、前記チャネル状態情報参照信号の時間領域位置を指示することと、のいずれかを含む、
請求項１に記載の方法。
【請求項１５】
前記構成要素の情報は、前記構成要素の周波数領域位置を含み、前記基地局が前記構成要素の周波数領域位置を前記端末に通知することは、
前記基地局が、前記構成要素のために複数の周波数領域位置のうちの１つを選択し、前記構成要素のために選択した周波数領域位置を前記端末に通知することを含み、
前記複数の周波数領域位置は予定されたものであり、
前記構成要素が周波数領域において１つのサブキャリアを占める場合、リソースブロックの任意のサブキャリアの周波数領域位置を前記予定の周波数領域位置とすることが許され、前記構成要素が周波数領域において複数のサブキャリアを占める場合、リソースブロックの２つの隣接する前記予定の周波数領域位置間の間隔を２つのサブキャリアとすることが許されること、を含む、
請求項１に記載の方法。
【請求項１６】
前記基地局が、前記チャネル状態情報参照信号のカテゴリを前記端末に通知すること、をさらに含む、
請求項１に記載の方法。
【請求項１７】
プログラムが記憶され、前記プログラムが動作されると、請求項１に記載のチャネル状態情報参照信号の伝送方法が実行される、
非一時的記憶媒体。
【請求項１８】
プログラムを実行するように構成され、前記プログラムが動作されると、基地局がチャネル状態情報参照信号の情報を決定することと、前記基地局が前記チャネル状態情報参照信号の情報を端末に送信することと、前記基地局が前記チャネル状態情報参照信号を発射することと、を含み、前記チャネル状態情報参照信号の情報は、少なくとも、チャネル状態情報参照信号ポートの数と、チャネル状態情報参照信号リソースの構成要素の情報とを含み、前記チャネル状態情報参照信号ポートが前記チャネル状態情報参照信号を発射することに用いられ、前記チャネル状態情報参照信号リソースが前記チャネル状態情報参照信号を担持することに用いられる、チャネル状態情報参照信号の伝送方法が実行される、
プロセッサ。
【請求項１９】
プロセッサと、メモリと、受送信機とを備え、
前記メモリが実行可能な命令を記憶するように構成され、
前記受送信機が前記プロセッサの制御に応じて情報の受送信通信を行うように構成され、
前記プロセッサが、
チャネル状態情報参照信号の情報を決定する操作と、
前記チャネル状態情報参照信号の情報を端末に送信する操作と、
前記チャネル状態情報参照信号を発射する操作と、を実行するように構成され、
前記チャネル状態情報参照信号の情報は、少なくとも、チャネル状態情報参照信号ポートの数と、チャネル状態情報参照信号リソースの構成要素の情報とを含み、前記チャネル状態情報参照信号ポートが前記チャネル状態情報参照信号を発射するように構成され、前記チャネル状態情報参照信号リソースが前記チャネル状態情報参照信号を担持することに用いられる、
基地局。
【請求項２０】
前記構成要素は、複数の要素グループを含み、
前記プロセッサは、さらに、
複数の要素グループの複数の位置情報を前記端末に通知する操作を実行するように構成され、
前記位置情報のそれぞれが複数の前記要素グループにおける各要素グループのために設定される位置を指示することに用いられる、
請求項１９に記載の基地局。
【手続補正２】
【補正対象書類名】明細書
【補正対象項目名】全文
【補正方法】変更
【補正の内容】
【発明の詳細な説明】
【関連出願の相互参照】
【０００１】
本出願は、２０１７年０３月２４日に中国特許局に出願された中国特許出願番号２０１７１０１８４８６７．０に基づく優先権を主張するものであり、その出願におけるすべての内容は参照として引用により本出願に組み込まれる。
【技術分野】
【０００２】
本発明は、通信の分野に関し、特に、チャネル状態情報参照信号の伝送方法、プロセッサ、基地局及び記憶媒体に関する。
【背景技術】
【０００３】
長期的進化（ＬＴＥ、Ｌｏｎｇ  Ｔｅｒｍ  Ｅｖｏｌｕｔｉｏｎ）又は長期的進化アップグレード（ＬＴＥ−Ａ、ＬＴＥ−Ａｄｖａｎｃｅｄ）技術は、主流の第４世代モバイル通信技術（４Ｇ、ｔｈｅ  ４ｔｈ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ）である。端末のチャネル状態の予測のために、チャネル状態情報参照信号（ＣＳＩ−ＲＳ、Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）がＬＴＥ−Ａに導入される。非ゼロ出力で発射されるＣＳＩ−ＲＳは、非ゼロ出力ＣＳＩ−ＲＳ（ＮＺＰ  ＣＳＩ−ＲＳ）と呼ばれる。干渉を回避するために、物理下り共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）における一部のリソースエレメント（ＲＥ、Ｒｅｓｏｕｒｃｅ  Ｅｌｅｍｅｎｔ）でのデータ発射を回避し、ゼロ出力でＣＳＩ−ＲＳの発射を実現しなければならないことがある。この場合、ゼロ出力ＣＳＩ−ＲＳ（ＺＰ  ＣＳＩ−ＲＳ）と呼ばれ、対応するリソースエレメントセットはゼロ出力ＣＳＩ−ＲＳリソース（Ｚｅｒｏ  Ｐｏｗｅｒ  ＣＳＩ−ＲＳ  Ｒｅｓｏｕｒｃｅ）である。干渉を測定するために、ゼロ出力でＣＳＩ−ＲＳを発射することがある。この場合、対応するリソースエレメントセットは、干渉測定リソース（ＣＳＩ−ＩＭ  Ｒｅｓｏｕｒｃｅ、Ｃｈａｎｎｅｌ−Ｓｔａｔｅ  Ｉｎｆｏｒｍａｔｉｏｎ−Ｉｎｔｅｒｆｅｒｅｎｃｅ  Ｍｅａｓｕｒｅｍｅｎｔ  Ｒｅｓｏｕｒｃｅ）と呼ばれる。
【０００４】
チャネル状態情報参照信号構成、即ち、ＣＳＩ−ＲＳ構成（ＣＳＩ  ｒｅｆｅｒｅｎｃｅ  ｓｉｇｎａｌ  ｃｏｎｆｉｇｕｒａｔｉｏｎ、ＣＳＩ−ＲＳ  ｃｏｎｆｉｇｕｒａｔｉｏｎ）は、ＣＳＩ−ＲＳによってマッピングされたＲＥ、つまり、ＣＳＩ−ＲＳの伝送に使用されるＲＥを指示することに用いられ、ＣＳＩ−ＲＳ構成番号は、異なるＣＳＩ−ＲＳ構成を区別することに用いられる。ＣＳＩ−ＲＳサブフレーム構成（ＣＳＩ  ｒｅｆｅｒｅｎｃｅ  ｓｉｇｎａｌ  ｓｕｂｆｒａｍｅ  ｃｏｎｆｉｇｕｒａｔｉｏｎ）は、ＣＳＩ−ＲＳ伝送をするサブフレームを指示することに用いられる。
【０００５】
生産、生活、科学研究技術の発展に伴い、第５世代（５Ｇ）無線通信技術が要求され、５Ｇ無線技術は、広帯域、大規模なマルチ入出力システム（ｍａｓｓｉｖｅ−ＭＩＭＯ、ｍａｓｓｉｖｅ−Ｍｕｌｔｉｐｌｅ−Ｉｎｐｕｔ  Ｍｕｌｔｉｐｌｅ−Ｏｕｔｐｕｔ）のビーム技術を特徴とし、大容量データ伝送、低遅延伝送、ＩｏＴ伝送、及び高速移動での伝送の要求を満たす必要がある。３ＧＰＰは、ＮＲ（Ｎｅｗ  Ｒａｄｉｏ）アクセス技術の研究を行い、ＮＲは、適応する周波数範囲が０．６ＧＨｚ〜１００ＧＨｚであり、サブキャリア間の間隔を構成でき、時間領域におけるサブフレーム又はスロットの長さを構成でき、データの伝送は、構成された直交周波数分割多重（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで行われ可能であり、データ復調参照信号のパターン及び位置は必要によって構成でき、かつ、ＯＦＤＭシンボルとＯＦＤＭシンボルの間はビームを変更でき、ＯＦＤＭシンボルの内部でさえビームを変更できる。また、チャネル状態情報の測定、ビームの管理、及びチャネル位相の追跡をサポートするために、ＮＲにＣＳＩ−ＲＳを導入する必要がある。ＮＲは、ＣＳＩ−ＲＳが、周期的発射、半永続的発射、及び非周期的発射の３つの発射方式を採用できることが要求される。
【０００６】
関連技術では、参照信号伝送方法は、システムの複雑さが高く要求され、チャネル測定の性能が低い。
【発明の概要】
【０００７】
これに鑑み、本発明の実施例は、少なくとも関連技術におけるチャネル測定性能が低く、システムの複雑さが高いという技術的問題を解決するような、チャネル状態情報参照信号の伝送方法、デバイス、プロセッサ及び記憶媒体を提供することが望ましい。
【０００８】
第１の態様では、本発明の実施例は、基地局がチャネル状態情報参照信号の情報を決定することと、基地局がチャネル状態情報参照信号の情報を端末に送信することと、基地局がチャネル状態情報参照信号を送信することと、を含み、チャネル状態情報参照信号の情報は、少なくとも、チャネル状態情報参照信号ポートの数と、構成要素の情報とを含み、チャネル状態情報参照信号ポートがチャネル状態情報参照信号を発射することに用いられ、チャネル状態情報参照信号リソースがチャネル状態情報参照信号を担持することに用いられ、構成要素がチャネル状態情報参照信号リソースを構成することに用いられる、チャネル状態情報参照信号の伝送方法を提供する。
【０００９】
第２の態様では、本発明の実施例は、チャネル状態情報参照信号の情報を決定するように構成される決定ユニットと、チャネル状態情報参照信号の情報を端末に送信するように構成される送信ユニットと、チャネル状態情報参照信号を発射するように構成される発射ユニット、を備え、チャネル状態情報参照信号の情報は、少なくとも、チャネル状態情報参照信号ポートの数と、構成要素の情報とを含み、チャネル状態情報参照信号ポートがチャネル状態情報参照信号を発射するように構成され、チャネル状態情報参照信号リソースがチャネル状態情報参照信号を担持することに用いられ、構成要素がチャネル状態情報参照信号リソースを構成することに用いられる、チャネル状態情報参照信号の伝送デバイスを提供する。
【００１０】
第３の態様では、本発明の実施例は、記憶されたプログラムを含み、プログラムが動作されると、上記のチャネル状態情報参照信号の伝送方法が実行される、記憶媒体をさらに提供する。
【００１１】
第４の態様では、本発明の実施例は、プログラムを実行するように構成され、前記プログラムが動作されると、上記のチャネル状態情報参照信号の伝送方法が実行される、プロセッサをさらに提供する。
【００１２】
第５の態様では、本発明の実施例は、プロセッサと、メモリと、受送信機と、を備え、前記メモリが実行可能な命令を記憶するように構成され、前記受送信機が前記プロセッサの制御に応じて情報の受送信通信を行うように構成され、前記プロセッサが、チャネル状態情報参照信号の情報を決定する操作と、前記チャネル状態情報参照信号の情報を端末に送信する操作と、前記チャネル状態情報参照信号を発射する操作と、を実行するように構成され、前記チャネル状態情報参照信号の情報は、少なくとも、チャネル状態情報参照信号ポートの数と、構成要素の情報とを含み、前記チャネル状態情報参照信号ポートが前記チャネル状態情報参照信号を発射するように構成され、前記チャネル状態情報参照信号リソースが前記チャネル状態情報参照信号を担持することに用いられる、基地局をさらに提供する。
【００１３】
本発明の実施例では、基地局がチャネル状態情報参照信号の情報を決定し、チャネル状態情報参照信号の情報は、少なくとも、チャネル状態情報参照信号ポートの数と、チャネル状態情報参照信号リソースの構成要素情報とを含み、チャネル状態情報参照信号ポートがチャネル状態情報参照信号を発射することに用いられ、チャネル状態情報参照信号リソースがチャネル状態情報参照信号を担持することに用いられ、基地局がチャネル状態情報参照信号の情報を端末に送信し、基地局がチャネル状態情報参照信号を発射する。これによって、関連技術におけるチャネル測定性能が低く、システムの複雑さが高いという技術的問題が解決され、システムの複雑さが低減し、チャネル状態の測定性能を高める技術的効果が得られる。
【図面の簡単な説明】
【００１４】
ここで説明される図面は、本発明の実施例を理解するために提供され、本出願の一部を構成し、本発明の例示的な実施例及びその説明は、本発明を説明することを意図し、本発明を限定するものであない。
【図１】本発明の実施例によるチャネル状態情報参照信号の伝送方法を実行するための端末の模式図である。
【図２】本発明の実施例によるチャネル状態情報参照信号の伝送方法のフローチャートである。
【図３】本発明の実施例によるチャネル状態情報参照信号の伝送デバイスの模式図である。
【発明を実施するための形態】
【００１５】
以下、図面及び実施例を参照して本発明を詳細に説明する。本明細書に記載される具体的な実施例は、本発明の単なる例示であり、本発明を限定することを意図しないことが理解される。
【００１６】
なお、本発明の明細書及び請求の範囲における用語「第１」、「第２」などは、類似の対象を区別することに用いられ、特定の順番を説明するために必ずしも使用されないことが理解られる。
【００１７】
あるＣＳＩ−ＲＳ構成は、一定数のアンテナポートを有するＣＳＩ−ＲＳ構成であり、例えば、アンテナポート数は８で、構成番号は０であるＣＳＩ−ＲＳ構成である。一般的には、構成番号は、インデックス番号である。
【００１８】
関連技術では、ポート数が１、２、４、８、１２、１６であるＣＳＩ−ＲＳリソースをサポートし、これらのポート数のＣＳＩ−ＲＳリソースエレメントパターンは、帯域幅範囲の各物理リソースブロックＰＲＢ（Ｐｈｙｓｉｃａｌ  Ｒｅｓｏｕｒｃｅ  Ｂｌｏｃｋ）ペアの伝送サブフレームで繰り返される。
【００１９】
ただし、ポート数が１、２、４、８であるＣＳＩ−ＲＳリソース（ＣＳＩ−ＲＳ  ｒｅｓｏｕｒｃｅ）は、単一のＣＳＩ−ＲＳ構成から構成され、ポート数が１２、１６、２０、２４、２８、３２であるＣＳＩ−ＲＳリソースは、複数のＣＳＩ−ＲＳ構成を集積して構成される。
【００２０】
基地局又は端末は、一般的には、チャネル状態測定プロセス（ＣＳＩ  Ｐｒｏｃｅｓｓ）によってチャネル状態を測定し、１つのＣＳＩ  Ｐｒｏｃｅｓｓには、通常、１つ又は複数のＣＳＩ−ＲＳ  ｒｅｓｏｕｒｃｅが構成され、端末はＣＳＩ−ＲＳの測定に応じてフィードバックする。
【００２１】
電力を最大限に活用し、チャネル測定の精度を向上されるために、ポートを複数のグループに分割し、グループ内のポートを符号分割多重で動作させることができる。
【００２２】
基地局は、上位層シグナリングにより、ＣＳＩ−ＲＳに関する情報を端末に通知し、これらの情報は、ＣＳＩ−ＲＳリソース構成ＩＤ（ＣＳＩ−ＲＳ  ｒｅｓｏｕｒｃｅ  ｃｏｎｆｉｇｕｒａｔｉｏｎ  ｉｄｅｎｔｉｔｙ）、ＣＳＩ−ＲＳポート数、ＣＳＩ−ＲＳ構成、及びＣＳＩ−ＲＳサブフレーム構成を含む。
【００２３】
本発明の実施例では、基地局は、チャネル状態情報参照信号の情報を決定し、チャネル状態情報参照信号の情報は、少なくとも、チャネル状態情報参照信号ポートの数と、チャネル状態情報参照信号リソースの構成要素情報とを含み、チャネル状態情報参照信号ポートがチャネル状態情報参照信号を発射することに用いられ、チャネル状態情報参照信号リソースがチャネル状態情報参照信号を担持することに用いられ、基地局は、チャネル状態情報参照信号の情報を端末に送信し、基地局は、チャネル状態情報参照信号を発射する。
【００２４】
実施例１
本出願の実施例１による方法の実施例は、モバイル端末、コンピュータ端末等の演算デバイスで実行されることができる。コンピュータ端末（即ち、基地局内のコンピュータ端末）に実行されることを例として、図１に示すように、コンピュータ端末は、１つ又は複数の（図１に１つだけを示している）プロセッサ１０１（プロセッサ１０１として、マイクロプロセッサ（ＭＣＵ、Ｍｉｃｒｏ  Ｃｏｎｔｒｏｌｌｅｒ  Ｕｎｉｔ）、又はプログラマブル論理デバイス（ＦＰＧＡ、Ｆｉｅｌｄ−Ｐｒｏｇｒａｍｍａｂｌｅ  Ｇａｔｅ  Ａｒｒａｙ）等の処理デバイスが挙げられてもよいが、これらに限定されない）と、データを記憶するように構成されるメモリ１０３と、及び通信機能として構成される受送信機１０５と、を備えてもよい。図１に示す構造は単なる例示であり、上記の電子デバイスの構造を限定するものではないことを、当業者は理解することができる。
【００２５】
メモリ１０３は、本発明の実施例におけるデバイスの制御方法に対応するプログラム命令／モジュール等のアプリケーションソフトウェアを記憶するソフトウェアプログラム及びモジュールとして構成されてもよい、プロセッサ１０１は、メモリ１０３に記憶されたソフトウェアプログラム及びモジュールを実行することにより、即ち上記の方法を実現するように、様々な機能アプリケーション及びデータ処理を実行する。メモリとして、高速ランダムアクセスメモリが挙げられてもよく、１つ又は複数の磁気記憶デバイス、フラッシュメモリ、又は他の不揮発性ステートメモリ等の不揮発性メモリがさらに挙げられてもよい。いくつかの例では、メモリは、ネットワークを介してコンピュータ端末に接続可能なプロセッサに対してリモートに構成されたメモリを含んでもよい。上記のネットワークの例そして、インターネット、イントラネット、ローカルエリアネットワーク、モバイル通信ネットワーク、及びそれらの組み合わせが挙げられるが、それらに限定されない。
【００２６】
受送信機１０５は、１つのネットワークを介してデータを受信又は送信するように構成される。上記のネットワークの具体例として、コンピュータ端末の通信プロバイダーによって提供される無線ネットワークを含んでもよい。一実例では、伝送デバイスは、１つのネットワークインターフェースコントローラ（Ｎｅｔｗｏｒｋ  Ｉｎｔｅｒｆａｃｅ  Ｃｏｎｔｒｏｌｌｅｒ、ＮＩＣ）を含み、基地局が他のネットワークデバイスに接続されることによってインターネットと通信することができる。一例では、受送信機１０５は、無線周波数（Ｒａｄｉｏ  Ｆｒｅｑｕｅｎｃｙ、ＲＦ）モジュールであってもよく、インターネットと無線で通信するように構成される。
【００２７】
本発明の実施例によれば、チャネル状態情報参照信号の伝送方法の方法実施例が提供され、なお、図面のフローチャートに示されるステップは、コンピュータ実行可能な命令のセット等のコンピュータシステムで実行でき、また、フローチャートには論理順番が示されるが、場合によっては、表示又は説明されたステップは、ここで説明されたものとは異なる順番で実行される場合がある。
【００２８】
図２は、本発明の実施例によるチャネル状態情報参照信号の伝送方法のフローチャートであり、図２に示すように、この方法は、以下のステップを含む。
【００２９】
ステップＳ２０２では、基地局は、チャネル状態情報参照信号の情報を決定する。
【００３０】
ただし、チャネル状態情報参照信号の情報は、少なくとも、チャネル状態情報参照信号ポートの数と、構成要素の情報とを含み、チャネル状態情報参照信号ポートがチャネル状態情報参照信号を発射することに用いられ、チャネル状態情報参照信号リソースがチャネル状態情報参照信号を担持することに用いられる。
【００３１】
ステップＳ２０４では、基地局は、チャネル状態情報参照信号の情報を端末に送信する。
【００３２】
ステップＳ２０６では、基地局は、チャネル状態情報参照信号を発射する。
【００３３】
上記の実施例によれば、基地局がチャネル状態情報参照信号の情報を決定し、チャネル状態情報参照信号の情報は、少なくとも、チャネル状態情報参照信号ポートの数と、構成要素情報とを含み、チャネル状態情報参照信号ポートがチャネル状態情報参照信号を発射することに用いられ、チャネル状態情報参照信号リソースがチャネル状態情報参照信号を担持することに用いられ、基地局がチャネル状態情報参照信号の情報を端末に送信し、基地局がチャネル状態情報参照信号を発射する。したがって、関連技術におけるチャネル測定性能が低く、システムの複雑さが高いという技術的問題が解決され、システムの複雑さが低減し、チャネル状態の測定性能を高めるという技術的効果が実現される。
【００３４】
一実施例では、上記のステップを実行する主体は、基地局等であってもよいが、それに限定されない。
【００３５】
ポートとは、論理アンテナであり、端末は、ポート上の参照信号を測定することで論理アンテナにおけるチャネル状態情報を取得する。ＣＳＩ−ＲＳポートの数とは、論理アンテナの数である。ＣＳＩ−ＲＳリソースパターンは、ＣＳＩ−ＲＳ（チャネル状態情報参照信号）を発射するリソースエレメント（ＲＥ、Ｒｅｓｏｕｒｃｅ  ｅｌｅｍｅｎｔ）のセットであり、要素で構成され、要素はＲＥのセットである。要素の情報には、少なくとも要素の種類と、要素の位置が含まれる。
【００３６】
基地局は、ＣＳＩ−ＲＳ情報を伝送し、これら情報に基づき、ＣＳＩ−ＲＳリソースパターン及びポート数を知ることができ、端末は、その情報を取得し、基地局がチャネル状態を測定するＲＥと、チャネル状態が測定されるポートの数とを取得することができる。ＣＳＩ−ＲＳリソースパターンは、要素で構成され、要素のカテゴリ情報及び位置情報によりＣＳＩ−ＲＳリソースパターン情報を送信できる。
【００３７】
ＣＳＩ−ＲＳポートの数は、正の整数であってもよく、例えば、１、２、４、８、１２、１６、２４、３２等であってもよい。要素のカテゴリは、含まれるＲＥの数ごとに分割されてもよく、例えば、１つのＲＥを含む要素、２つのＲＥを含む要素、４つのＲＥを含む要素、８つのＲＥを含む要素、１２ＲＥを含む要素、１６ＲＥを含む要素等に分割されてよい。また、ＣＳＩ−ＲＳリソースパターンの構成に必要な要素の数に応じて分割されてもよい、例えば、１つの要素でＣＳＩ−ＲＳリソースパターンを構成し、２つの要素でＣＳＩ−ＲＳリソースパターンを構成し、３つの要素でＣＳＩ−ＲＳリソースパターンを構成し、４つの要素でＣＳＩ−ＲＳリソースパターンを構成する。また、要素の周波数領域に含まれるサブキャリアの数Ｙ及び時間領域に含まれるＯＦＤＭシンボルの数Ｚに応じて分割されてもよい、例えば、（Ｙ、Ｚ）＝（２、１）、（Ｙ、Ｚ）＝（１、２）、（Ｙ、Ｚ）＝（４、１）、（Ｙ、Ｚ）＝（２、２）、（Ｙ、Ｚ）＝（１、４）、（Ｙ、Ｚ）＝（８、１）、（Ｙ、Ｚ）＝（２、４）、（Ｙ、Ｚ）＝（１、８）、（Ｙ、Ｚ）＝（４、２）、のように分割される。構成要素の情報は、例えば、各構成要素の情報、又はその中の一つの構成要素の情報又は一部の構成要素の情報であり、要素の時間領域位置のみ、又は要素の周波数領域位置のみを使用し、要素の時間領域位置及び周波数領域位置を同時に使用し、要素内いずれか一つのＲＥの位置を使用してもよい、位置は、サブキャリアで表され、ＯＦＤＭシンボルで表され、または、特定の時間単位で表されてもよい。
【００３８】
一実施例では、構成要素の情報は、構成要素の時間領域位置を含み、基地局がチャネル状態情報参照信号の情報を端末に送信することは、基地局が、１つの時間領域位置を参照として、構成要素の時間領域位置を端末へ通知すること、を含む。参照としての時間領域位置は、参照としての時間領域位置はスロットの最後のＯＦＤＭシンボルである方式と、参照としての時間領域位置はスロットのカテゴリによって指示される方式と、参照としての時間領域位置は上位層シグナリングによって構成される方式と、のいずれかの方式で決定される。
【００３９】
一実施例では、構成要素は複数であり、基地局が複数の構成要素の情報を端末に通信することは、基地局が、選択された相対位置関係を端末に通知し、基地局が、上位層シグナリングにより複数の構成要素間の複数の相対位置関係を事前に端末に通知し、選択された相対位置関係は複数の相対位置関係の１つであることと、基地局が、構成要素のカテゴリ及びチャネル状態情報参照信号ポートの数を端末に送信し、構成要素のカテゴリ及びチャネル状態情報参照信号ポートの数により複数の構成要素間の相対位置関係を指示することと、基地局が、サブキャリアの間隔情報を端末に通知し、サブキャリアの間隔情報により複数の構成要素間の相対位置関係を指示し、サブキャリアはＯＦＤＭシステムにデータ又は信号を担持する周波数領域単位であり、サブキャリアの間隔情報は周波数領域単位間の間隔を指示することに用いられることと、基地局が、チャネル状態情報参照信号ポートの多重方式情報を端末に通知し、チャネル状態情報参照信号ポートの多重方式情報により複数の構成要素間の相対位置関係を指示し、チャネル状態情報参照信号ポートの多重方式情報はポートが無線リソースを共通で使用する方式を指示することに用いられることと、基地局が、チャネル状態情報参照信号の生成シーケンスの情報を端末に通知し、チャネル状態情報参照信号の生成シーケンスの情報により複数の構成要素間の相対位置関係を指示し、生成シーケンスの情報は、チャネル状態情報参照信号のシンボルを生成する時に使用される生成シーケンスであることと、の少なくとも１つを含む。
【００４０】
一実施例では、構成要素は複数であり、基地局が複数の構成要素の情報を端末に通知することは、基地局が、上位層シグナリングにより複数の構成要素間の相対位置関係を端末に通知し、物理層シグナリングにより複数の構成要素の１つの位置を端末に通知すること、又は、基地局が物理層シグナリングにより複数の構成要素間の相対位置関係を端末に通知し、上位層シグナリングにより複数の構成要素の１つの位置を端末に通知すること、を含む。
【００４１】
一実施例では、構成要素の情報は、構成要素の時間領域位置と、周波数領域位置とを含み、基地局が構成要素の情報を端末に通知することは、基地局が、構成要素の時間領域位置における最初のＯＦＤＭシンボルの位置、構成要素の周波数領域位置における周波数が最も低いサブキャリアの位置を端末に通知することと、基地局が構成要素の時間領域位置における最後のＯＦＤＭシンボルの位置、構成要素の周波数領域位置における周波数が最も高いサブキャリアの位置を端末に通知することと、基地局が構成要素の時間領域位置における最後のＯＦＤＭシンボルの位置、構成要素の周波数領域位置における周波数が最も低いサブキャリアの位置を端末に通知することと、の少なくとも１つを含む。
【００４２】
一実施例では、チャネル状態情報参照信号リソースの構成要素は、複数の要素グループを含み、方法は、基地局が複数の要素グループの複数の位置情報を端末に通知することをさらに含み、位置情報のそれぞれが複数の要素グループにおける各要素グループのために設定される位置を指示することに用いられる。
【００４３】
一実施例では、要素グループの位置情報は、要素グループが位置するリソースブロックの位置、及び要素グループが位置するサブキャリアの位置を含む。
【００４４】
一実施例では、チャネル状態情報参照信号の情報は、チャネル状態情報参照信号の周波数領域密度情報をさらに含み、基地局は、チャネル状態情報参照信号の周波数領域密度情報により要素グループの位置を指示し、各リソースブロックにおける各Ｋ個のサブキャリアが１つの要素グループを担持することに用いられ、ただし、Ｋは正の整数である。
【００４５】
一実施例では、周波数領域密度情報が指示する周波数領域密度値は１より大きい場合、１２は周波数領域密度値で割り切れ可能であり、周波数領域密度値は、各ポートの各リソースブロックにおいてチャネル状態情報参照信号のパターンが占めるリソースエレメントの数である。
【００４６】
一実施例では、当該方法では、基地局は、複数の要素グループが示すパターンに使用されるリソースブロックの数を端末に通知すること、又は、基地局は、複数の要素グループが示すパターンに使用されるリソースブロック位置を端末に通知すること、をさらに含む。
【００４７】
一実施例では、当該方法は、チャネル状態情報参照信号がゼロ出力で発射される場合、基地局が、チャネル状態情報参照信号リソースの構成要素の複数のカテゴリ及び各カテゴリの構成要素の情報を端末に通知すること、をさらに含む。
【００４８】
一実施例では、基地局が各カテゴリの構成要素の情報を端末に通知することは、基地局が、ビットマップの方式によって各カテゴリの構成要素の情報を端末に通知すること、を含む。
【００４９】
一実施例では、基地局が発射するチャネル状態情報参照信号の情報を端末に通知する時に、当該方法は、チャネル状態情報参照信号ポートの数と構成要素のカテゴリとをまとめて符号化する方式と、少なくとも２つの構成要素の情報をまとめて符号化する方式と、構成要素のカテゴリと構成要素の情報とをまとめて符号化する方式と、チャネル状態情報参照信号ポートの数と構成要素の情報とをまとめて符号化する方式と、のいずれかの方式でまとめて符号化すること、をさらに含む。
【００５０】
一実施例では、基地局が通知する構成要素の時間領域位置の下り発射スロットが存在しない場合、当該方法は、基地局がチャネル状態情報参照信号を発射しないことと、基地局が１つの時間ウィンドウを端末に通知し、通知される時間ウィンドウが指示する第１の下りスロット内でチャネル状態情報参照信号エを発射することと、基地局がチャネル状態情報参照信号の発射周期を通知し、構成された発射周期に対応するサブフレームに含まれるスロットの数、及びチャネル状態情報参照信号の発射に対応するサブフレームのスロットの数により、チャネル状態情報参照信号の時間領域位置を指示することと、のいずれかを含む。
【００５１】
一実施例では、構成要素の情報は、構成要素の周波数領域位置を含み、基地局が構成要素の情報を端末に通知することは、基地局が、構成要素のために複数の周波数領域位置のうちの１つを選択し、構成要素のために選択した周波数領域位置を端末に通知することを含み、複数の周波数領域位置は、予定されたものであり、構成要素が周波数領域において１つのサブキャリアを占める場合、リソースブロックのいずれか１つのサブキャリアの周波数領域位置を予定の周波数領域位置とすることが許され、構成要素が周波数領域において複数のサブキャリアを占める場合、リソースブロックの２つの隣接する予定の周波数領域位置間の間隔を２つのサブキャリアとすることが許される。
【００５２】
一実施例では、当該方法は、基地局がチャネル状態情報参照信号のカテゴリを端末に通知すること、をさらに含む。
【００５３】
本実施例の好ましい実施形態では、１つの時間領域位置を参照として、構成要素の時間領域位置を通知する。参照としての時間領域位置は、スロットの最後のＯＦＤＭシンボルであるもの、スロットのカテゴリによって指示されるもの、上位層シグナリングによって構成されるもの、のいずれかである。
【００５４】
参照として適当な時間領域位置を選択し、構成要素の時間領域位置を通知することで、ＣＳＩ−ＲＳリソースパターンを通知するシグナリングのオーバーヘッドを節約できる。スロットは無線信号又はデータによって発射される時間構造単位であり、一般的に１つ以上のＯＦＤＭシンボルを含み、１つのスロットに完全な１つのＣＳＩ−ＲＳリソースパターンを持つことができる。一般的に、１つのスロットの最初の複数のＯＦＤＭシンボルが制御チャネルに使用され、スロットの中央又は以降のＯＦＤＭがＣＳＩ−ＲＳの伝送に使用される。スロットの最後のＯＦＤＭシンボルを参照として選択することで、ＣＳＩ−ＲＳ位置を表す値は、第１のＯＦＤＭシンボルを参照として選択するより小さい範囲になり、シグナリングを節約できる。異なるカテゴリのスロットは、異なるスロット構造を有し、スロットにＣＳＩ−ＲＳリソースパターンが位置する位置が異なる場合があるため、異なるカテゴリスロットに応じて参照の時間領域位置を決定すると、シグナリングのオーバーヘッド及びシステムの複雑さを節約できる。場合によって、ＣＳＩ−ＲＳリソースパターンが発射される時間領域位置の範囲も異なり、上位層シグナリングの構成が時間領域参照位置を参照することで、シグナリングのオーバーヘッドを節約できる。
【００５５】
例えば、スロットの最後のＯＦＤＭシンボルは時分割復信（ＴＤＤ、Ｔｉｍｅ  Ｄｉｖｉｓｉｏｎ  Ｄｕｐｌｅｘｉｎｇ）システムにおける上りスロットの１つ前のＯＦＤＭシンボルであってもよく、制御シグナリングを含むスロットの最後のＯＦＤＭシンボルであってもよく、対応構成されたサブキャリア間隔の最後のＯＦＤＭシンボルであってもよく、任意のタイプのスロットの最後のＯＦＤＭシンボルであってもよく、特定のタイプのスロットの最後のＯＦＤＭシンボルであってもよい。一部のスロットカテゴリでは、ＣＳＩ−ＲＳリソースパターンは時間の第３のＯＦＤＭシンボルに近く、このようなスロットの第３のＯＦＤＭシンボルを参照位置とすると、シグナリングのオーバーヘッドを節約できる。一部のスロットのカテゴリでは、ＣＳＩ−ＲＳリソースパターンは時間の最も中央のＯＦＤＭシンボルに近く、このようなスロットの最も中央のＯＦＤＭシンボルを参照位置とすると、シグナリングのオーバーヘッドを節約できる。一部のスロットカテゴリでは、ＣＳＩ−ＲＳリソースパターンは時間の最後のＯＦＤＭシンボルに近く、このようなスロットの最後のＯＦＤＭシンボルを参照位置とすると、シグナリングのオーバーヘッドを節約できる。隣接セルでのＣＳＩ−ＲＳ干渉回避を考慮する場合、ＣＳＩ−ＲＳリソースパターンの位置は特定の位置範囲にあることが多く、上位層シグナリングはこの位置を参照時間領域位置として構成すると、シグナリングのオーバーヘッドを節約できる。ＣＳＩ−ＲＳが複数の端末に伝送する場合、特定の端末のＣＳＩ−ＲＳリソースパターンの位置は特定の位置範囲にあることが多く、上位層シグナリングはこの位置を参照時間領域位置として構成する。
【００５６】
本実施例の他の好ましい実施形態では、ＣＳＩ−ＲＳリソースは、複数の構成要素で構成され、基地局が複数の構成要素の情報を通知する。
【００５７】
ＣＳＩ−ＲＳリソースは複数の構成要素で構成され、複数の要素の位置を構成でき、柔軟なＣＳＩ−ＲＳリソースパターン、及びパターン位置の構成を実現できる。５Ｇ無線システムにおいて、サブフレーム構造を柔軟に構成でき、発射ビームをＯＦＤＭシンボルに応じて変更でき、データ復調参照信号位置を構成でき、端末に送信されるデータは、時間領域においてＯＦＤＭシンボルを単位としてスケジュールでき、周波数領域においてスケジュールできる。これらの特徴に適応するために、ＣＳＩ−ＲＳリソースパターン及びパターンの位置に十分な柔軟性又は汎用性が必要である。
【００５８】
例えば、ポート数が１、２、４、８であるＣＳＩ−ＲＳリソースは１つの要素で構成され、基地局は１つの要素の位置を通知し、ポート数が４、８、１２、１６、２４、３２であるＣＳＩ−ＲＳリソースは複数の要素で構成され、基地局は複数の構成要素の情報を通知し、ポート数が４であるＣＳＩ−ＲＳリソースは２つの要素で構成され、基地局は２つの要素の位置を通知し、ポート数が１２であるＣＳＩ−ＲＳリソースは３つのＲＥ数が４である要素で構成され、基地局は３つの要素の位置を通知し、ポート数が１６であるＣＳＩ−ＲＳリソースはＲＥ数が４である要素で構成され、基地局は４つの要素の位置を通知し、ポート数が１６であるＣＳＩ−ＲＳリソースは２つのＲＥ数が８である要素で構成され、基地局は２つの要素の位置を通知する。
【００５９】
本実施例の他の好ましい実施形態では、基地局は、以下の方式のいずれかを使用して複数の構成要素の情報を決定する。上位層シグナリングが要素間の相対位置を定義し、選択された要素間の相対位置を端末に通知する。要素間の相対位置は要素のカテゴリ及びＣＳＩ−ＲＳリソースのポート数によって決定する。
【００６０】
上位層シグナリングは様々な相対位置を定義又は構成し、ＣＳＩ−ＲＳリソースパターンの多様性と柔軟性を実現できる。選択された相対位置のタイプを通知し、実際に使用されるＣＳＩ−ＲＳリソースパターンを通知するシグナリングのオーバーヘッドを節約できる。
【００６１】
要素間の相対位置は要素のカテゴリとＣＳＩ−ＲＳリソースのポート数によって決定し、ＣＳＩ−ＲＳリソースパターンの多様性と柔軟性をある程度まで高めることができ、ＣＳＩ−ＲＳリソースパターンのシグナリング構成のオーバーヘッドを節約できる。
【００６２】
例えば、上位層シグナリングは、ポート数が４であるＣＳＩ−ＲＳの２つの要素の３つの相対位置を定義し、伝送用に選択された１つの相対位置を端末に通知し、ポート数が８であるＣＳＩ−ＲＳリソースは２つのＲＥ数が４である要素で構成され、上位層シグナリングは３つの相対位置を定義し、伝送用に選択された１つの相対位置を端末に通知し、ポート数が８であるＣＳＩ−ＲＳリソースは４つのＲＥ数が２である要素で構成され、上位層シグナリングが４つの相対位置を定義し、伝送用に選択された１つの相対位置を端末に通知する。
【００６３】
また、例えば、ポート数が４であるＣＳＩ−ＲＳリソースは、２つの（Ｙ、Ｚ）＝（２、１）要素で構成され、一方の要素間の相対位置に対応し、ポート数が４であるＣＳＩ−ＲＳリソースは２つの（Ｙ、Ｚ）＝（１、２）要素で構成され、他方の要素間の相対位置に対応し、ポート数が８であるＣＳＩ−ＲＳリソースは２つの（Ｙ、Ｚ）＝（４、１）要素で構成され、一方の要素間の相対位置に対応し、ポート数が８であるＣＳＩ−ＲＳリソースは２つの（Ｙ、Ｚ）＝（１、４）要素で構成され、他方の要素間の相対位置に対応し、ポート数が８であるＣＳＩ−ＲＳリソースは２つの（Ｙ、Ｚ）＝（２、２）要素で構成され、さらに他方の要素間の相対位置に対応する。
【００６４】
本実施例の他の好ましい実施形態では、基地局が以下の方式のいずれかを使用して複数の構成要素の情報を通知する。上位層シグナリングは要素間の相対位置を端末に通知し、物理層シグナリングは要素の開始位置を通知する。上位層シグナリングは要素の開始位置を端末に通知し、物理層シグナリングは要素間の相対位置を端末に通知する。
【００６５】
要素間の相対位置は、ＣＳＩ−ＲＳリソースパターンを決定することに用いられ、開始位置は、ＣＳＩ−ＲＳリソースパターンの位置を決定することに用いられる。上位層シグナリングは相対的遅く変化し、物理層シグナリングは相対的速く変化する。上位層シグナリングは要素間の相対位置を通知し、物理層シグナリングは要素の開始位置を通知し、ＣＳＩ−ＲＳリソースパターンと位置を端末に通知できるだけでなく、物理層シグナリングのオーバーヘッドを削減しつつ、ＣＳＩ−ＲＳリソースパターンの位置を柔軟に構成できる。上位層シグナリングは要素の開始位置を端末に通知し、物理層シグナリングは要素間の相対位置を端末に通知し、ＣＳＩ−ＲＳリソースパターンと位置を端末に通知でけるだけでなく、物理層シグナリングのオーバーヘッドを削減しつつ、ＣＳＩ−ＲＳリソースパターンを柔軟にハンチできる。
【００６６】
例えば、ポート数がＮであるＣＳＩ−ＲＳリソースは、Ｍ要素で構成され、上位層シグナリングは、Ｍ要素間の時間領域相対位置を構成し、又はＭ要素間の周波数領域相対位置を構成し、若しくは、Ｍ要素間の時間領域と周波数領域位置を同時に構成し、物理層シグナリングは第１の要素の開始位置を通知し、又は第２の要素の開始位置を通知し、又は最後の要素の開始位置を通知し、若しくは、物理層が通知する開始位置は時間領域位置であり、又は周波数領域位置であり、又は時間領域と周波数領域の組み合わせ位置である。ただし、ＮとＭは正の整数である。
【００６７】
また、例えば、ポート数がＮであるＣＳＩ−ＲＳリソースはＭ要素で構成され、上位層シグナリングは第１の要素の開始位置を構成し、又は第２の要素の開始位置を構成し、又は最後の要素の開始位置を構成し、若しくは、上位層が構成する開始位置は時間領域位置であり、又は周波数領域位置であり、又は時間領域と周波数領域の組み合わせ位置である。
【００６８】
物理層シグナリングはＭ要素間の時間領域相対位置を通知し、又はＭ要素間の周波数領域相対位置を通知し、又はＭ要素間の時間領域と周波数領域の位置を通知する。ただし、ＮとＭは正の整数である。
【００６９】
本実施例の他の好ましい実施形態では、上位層シグナリングは、構成要素の複数の位置を予定し、そして、以下のいずれかの方式で指示する。位置の番号で指示する。ビットマップ（ｂｉｔｍａｐ）の方式で指示する。上位層シグナリングは、構成要素の複数の位置を予定し、そして、位置番号又はビットマップにより指示し、ＣＳＩ−ＲＳリソースのパターンと位置を端末に通知できる。予定の複数の位置によって、ＣＳＩ−ＲＳリソースパターンと位置の様々な可能性を提供でき、指示により選択の柔軟性を提供でき、位置番号指示又はビットマップにより、シグナリングのオーバーヘッドを節約できる。
【００７０】
例えば、上位層シグナリングは時間領域においてＬ位置を予定し、又は周波数領域においてＱ位置を予定し、又は時間領域と周波数領域の組み合わせのＲ位置を予定する。異なる位置は、異なる番号に対応し、異なるビットの組み合わせ状態によって指示する。又は異なる位置は１つの指示ビットに対応し、１ビットによって１つの位置を指示する。１つの位置を指示し、１つの要素の位置を通知し、ＣＳＩ−ＲＳリソースパターン全体の位置を指示する。複数の位置を指示し、複数の要素の位置を通知し、ＣＳＩ−ＲＳリソースパターンと位置を指示する。
【００７１】
本実施例の他の好ましい実施形態では、基地局は以下のいずれかの方式で要素の位置を通知する。要素の時間領域位置における最初のＯＦＤＭの位置を通知し、要素の周波数領域位置における周波数が最も低いサブキャリアの位置を通知する。要素の時間領域位置で最後のＯＦＤＭの位置を通知し、要素の周波数領域位置における周波数が最も低いサブキャリアの位置を通知する。要素は複数のＲＥで構成され、最初の時間領域位置、及び最も低い周波数領域位置を持つＲＥの位置が要素の位置として通知される。又は、最後の時間領域位置、及び最も低い周波数領域位置を持つＲＥの位置が要素の位置として通知される。要素周波数領域の最低位置と、周波数領域において要素が占めるサブキャリアの数とを使用して、加算により周波数領域における要素の最高位置を算出でき、加算演算の複雑さが低いため、演算の複雑さが低減する効果が得られる。ＣＳＩ−ＲＳリソースパターンの最初のＲＥの位置が最後のＲＥ位置よりも参照の時間領域位置に近い場合、時間領域位置は要素の最初のＲＥ位置を通知し、要素の時間位置と参照時間領域位置の差を減らすことができ、シグナリングのオーバーヘッドを減らすことができる。同様に、ＣＳＩ−ＲＳリソースパターンの最後のＲＥの位置が最初のＲＥ位置よりも参照の時間領域位置に近い場合、時間領域位置は要素の最後のＲＥ位置を通知し、要素の時間位置と参照時間領域位置の差を減らすことができ、シグナリングのオーバーヘッドを減らすことができる。
【００７２】
例えば、（Ｙ、Ｚ）＝（４、１）である要素に対して、周波数が最も低いＲＥの位置を通知し、（Ｙ、Ｚ）＝（４、２）である要素に対して、周波数が最も低い、且つ最初のＲＥの位置を通知し、（Ｙ、Ｚ）＝（２、４）である要素に対して、周波数が最も低い且つ最初のＲＥの位置を通知し、（Ｙ、Ｚ）＝（２、１）である要素に対して、周波数が最も低いＲＥの位置を通知し、（Ｙ、Ｚ）＝（４２、２）である要素に対して、周波数が最も低い且つ最後のＲＥの位置を通知し、（Ｙ、Ｚ）＝（２、２）である要素に対して、周波数が最も低い且つ最後のＲＥの位置を通知する。
【００７３】
本実施例の他の好ましい実施形態では、基地局は、要素グループの複数の位置を通知する。
【００７４】
基地局が要素グループの複数の位置を通知することで、柔軟で多様な要素グループ間の密度パターンを形成でき、ＣＳＩ−ＲＳリソース密度変化の需要を満し、また、他の可変な参照信号と共存し、他の可変な制御チャネルと共存し、他の可変なデータチャネルと共存し、可変なスロット構造と共存することもできる。本出願によるＣＳＩ−ＲＳリソース密度は、周波数領域においてポートごとに各リソースブロック（ＲＢ、Ｒｅｓｏｕｒｃｅ  Ｂｌｏｃｋ）に１つのＲＥより低くなるように構成されてもよく、ポートごとに各ＲＢに１つのＲＥより高くなるように構成されてもよく、ポートごとに各ＲＢが１つのＲＥを持つように構成されてもよい。また、本出願は、異なる時間領域位置で複数のビームを測定する電力、即ち、ビーム走査用の電力を提供できる。復調参照信号は、異なるＲＢのパターンで変化する場合、又は異なる時間領域単位で変化する場合、本出願によるＣＳＩ−ＲＳリソースと共存できる。位相追跡参照信号は、異なるＲＢパターンで変化する場合、本出願によるＣＳＩ−ＲＳリソースと共存できる。他の制御チャネル、データチャネルは、周波数領域でのパターン又は時間領域でのパターンが変化する場合、本出願によるＣＳＩ−ＲＳリソースと共存できる。
【００７５】
例えば、基地局は要素グループのＭ位置を通知し、Ｍは正の整数である。基地局は、例えば、要素グループ間の間隔、周波数領域での間隔、又は周波数領域での間隔等の１つのパラメータによってＭ位置を通知してよい。基地局は２つのパラメータによってＭ位置を通知してよく、一方のパラメータは特定の要素グループの位置であり、この要素グループは開始要素グループ、終了要素グループ、又は特定番号の要素グループであってもよく、他方のパラメータは要素グループ間の間隔である。基地局は２組のパラメータによってＭ位置を通知してよく、一方のパラメータ組は、特定の要素グループの位置であり、この要素グループは開始要素グループ、終了要素グループ、又は特定番号の要素グループであってもよい、他方のパラメータ組は要素グループ間の相対位置である。基地局はＭ個のパラメータ又はＭ組のパラメータによってＭ位置をそれぞれ通知してもよい。また、例えば、要素グループ位置の数Ｍは基地局によって通知又は指示されてもよく、又は、要素グループ位置の数Ｍは予定してもよい。
【００７６】
本実施例の他の好ましい実施形態では、基地局が通知する要素グループの位置情報は、要素グループが位置するＲＢの位置、及びサブキャリアの位置を含む。
【００７７】
サブキャリアは周波数領域の最小単位であり、ＲＢは複数のサブキャリアで構成される。基地局は２グループの周波数領域単位から要素グループの位置を通知する。要素グループの具体的な位置を所定の範囲内ではっきり通知でき、シグナリングのオーバーヘッドを節約できる。
【００７８】
例えば、基地局は、要素グループが第Ｍ０のＲＢに位置し、第Ｎ０のサブキャリアに位置することを通知する。又は、基地局は、要素グループがＭ０個のＲＢをオフセットし、Ｎ０個のサブキャリアをオフセットすること通知する。又は、基地局は、要素グループがＭ０個のＲＢに位置し、第Ｎ０のサブキャリアをオフセットすることを通知する。又は、基地局は、要素グループがＭ０個のＲＢをオフセットし、第Ｎ０のサブキャリアに位置することを通知する。また、例えば、要素グループが１つ前の番号の要素グループの位置を参照として、Ｍ０個のＲＢをオフセットし、又は、第ｋの要素グループがｋ個のＲＢを参照としてＭ０個のＲＢをオフセットし、又は、要素グループが予定の参照位置でＭ０個のＲＢをオフセットする。
【００７９】
例えば、要素グループが１つ前の番号の要素グループの位置を参照として、Ｎ０個のサブキャリアをオフセットし、又は、要素グループが予定の参照位置でＭ０個のサブキャリアをオフセットし。例えば、ポートごとに各ＲＢが１つのＲＥを持つ場合における要素グループの位置を参照として、要素グループがオフセットする。例えば、要素グループが占めるサブキャリア数を単位としてオフセットし、又は、要素グループが占めるＲＥ数を単位としてオフセットする。例えば、各要素グループは同じパラメータを使用してオフセットし、又は、各要素グループは独立したパラメータを使用してオフセットし、又は、各要素グループは同じパラメータを使用してＲＢのオフセットを実行し、又は、各要素グループは同じパラメータを使用してサブキャリアのオフセットを実行する。例えば、要素グループのＲＢ位置パラメータとサブキャリア位置パラメータとをまとめて符号化する。ただし、Ｍ０、Ｎ０、ｋは整数である。
【００８０】
本実施例の他の好ましい実施形態では、チャネル状態情報参照信号の情報は、チャネル状態情報参照信号の周波数領域密度情報をさらに含み、基地局は以下の方式によって要素グループの位置を指示する。
【００８１】
基地局は、チャネル状態情報参照信号の周波数領域密度情報によって要素グループの位置を指示し、各リソースブロックにおいて、各Ｋ個のサブキャリアが１つの要素グループを担持することに用いられ、ただし、Ｋは正の整数である。
【００８２】
各Ｋ個のサブキャリアが１つの要素グループを担持することに用いられることで、１ＲＥ／ＲＢ／ｐｏｒｔより大きい密度のチャネル状態情報参照信号を提供でき、サブキャリア間隔が１５ｋＨｚより大きい無線伝送をサポートするように、チャネル推定の精度を高めることができる。Ｋは、参照信号の周波数領域密度を制御して、参照信号によりチャネル推定の品質を制御するように、参照信号の周波数領域密度情報によって指示される。
【００８３】
例えば、各Ｋ個のサブキャリアに１つの要素グループが含まれ、各要素グループのパターンが同様である。又は、各Ｋ個のサブキャリアに１つの要素グループが含まれ、各要素グループのパターンがそれぞれ独立する。例えば、Ｋの値は１であると、サブキャリアごとに１つの要素グループがあり、各リソースブロックには１２つの要素グループがあり、Ｋの値は３であると、３つのサブキャリアごとに１つの要素グループがあり、各リソースブロックには４つの要素グループがあり、Ｋの値は４であると、４つのサブキャリアごとに１つの要素グループがあり、各リソースブロックには３つの要素グループがあり、Ｋの値は６であると、６つのサブキャリアごとに１つの要素グループがあり、各リソースブロックには２つの要素グループがあり、Ｋの値は１２であると、１２個のサブキャリアごとに１つの要素グループがあり、各リソースブロックには１つの要素グループがある。例えば、参照信号の周波数領域密度は１ＲＥ／ＲＢ／ｐｏｒｔであると、Ｋの値が１２であることが示され、又は、参照信号の周波数領域密度は２ＲＥ／ＲＢ／ｐｏｒｔであると、Ｋの値が６であることが示され、又は、参照信号の周波数領域密度は２ＲＥ／ＲＢ／ｐｏｒｔであると、Ｋの値が４であることが示され、又は、参照信号の周波数領域密度は４ＲＥ／ＲＢ／ｐｏｒｔであると、Ｋの値が３であることが示され、又は、参照信号の周波数領域密度は６ＲＥ／ＲＢ／ｐｏｒｔであると、Ｋの値が２であることが示され、又は、参照信号の周波数領域密度は１２ＲＥ／ＲＢ／ｐｏｒｔであると、Ｋの値が１であることが示される。
【００８４】
本実施例の他の好ましい実施形態では、周波数領域密度情報が指示する周波数領域密度値は１より大きい場合、１２は前記周波数領域密度値で割り切れ可能であり、周波数領域密度値は、各ポートの各リソースブロックにおいてチャネル状態情報参照信号のパターンが占めるリソースエレメントの数である。
【００８５】
周波数領域密度値は１２を割り切れる正の整数、整数のサブキャリアごとに１つの要素グループがある機能を提供でき、それにより、各周波数領域において一致して参照信号密度を提供でき、各周波数領域位置で同じ性能を有するチャネル推定性能を提供できる。
【００８６】
例えば、周波数領域密度値は２であり、６つのサブキャリアごとに１つの要素グループがあり、又は、周波数領域密度値は３であり、４つのサブキャリアごとに１つの要素グループがあり、又は、周波数領域密度値は４であり、３つのサブキャリアがとに１つの要素グループがあり、又は、周波数領域密度値は６であり、２つのサブキャリアごとに１つの要素グループがあり、又は、周波数領域密度は１２であり、１つのサブキャリアごとに１つの要素グループがある。
【００８７】
本実施例の他の好ましい実施形態では、要素グループは、周波数領域に等間隔構成される。
【００８８】
要素グループは周波数領域に等間隔構成されることで、異なる周波数領域密度を生成し、同じ組内の要素をよりコンパクトにする同時に、ＣＳＩ−ＲＳの伝送の複雑さ及び受信の複雑さが低減し、シグナリングのオーバーヘッドを節約することができる。
【００８９】
例えば、要素グループは、ＲＢを単位として等間隔に構成され、サブキャリアを単位として等間隔に構成され、要素グループが占めるサブキャリアを単位として等間隔に構成され、又は、要素グループが跨るサブキャリアを単位として等間隔に構成される。例えば、他の信号が占めるサブキャリアを除外した後に、要素グループは等間隔となり、又は、他のチャネルが占めるサブキャリアを除外した後に、要素グループは等間隔となり、又は要素グループは予定のサブキャリアで等間隔となり、又は、要素グループは、事前に通知されるサブキャリアで等間隔となる。
【００９０】
本実施例の他の好ましい実施形態では、基地局は、複数の要素グループパターンに使用されるＲＢ数を通知する。若しくは、基地局は、複数の要素グループが示すパターンに使用されるリソースブロック位置を端末に通知する。
【００９１】
基地局は、複数の要素グループパターンが占めるＲＢ数がＭ１であることを通知し、要素グループは、特定の相対位置で要素グループ間のパターンを形成し、このような要素グループ間のパターンは、ＣＳＩ−ＲＳリソースによって伝送される帯域幅で、Ｍ１個のＲＢを単位として繰り返される。本出願は、Ｍ１個のＲＢを単位としての周波数領域範囲内に様々な要素グループ間の相対位置パターンを提供し、パターン位置の多様性と柔軟性に対するシステムの需要を満すながら、システムの複雑さが低減し、シグナリングのオーバーヘッドを節約する。要素グループ間の相対位置パターンには、要素グループ間の密度が含まれ、ＣＳＩ−ＲＳリソース密度も含まれる。ただし、Ｍ１は正の整数である。
【００９２】
基地局は、ＣＳＩ−ＲＳ伝送の周波数領域位置、及びチャネル状態の推定に必要がある周波数領域位置を指示するように、複数の要素グループが示すパターンに使用されるリソースブロック位置を指示する。
【００９３】
例えば、複数の要素グループのパターンはＭ１個のＲＢにあると、要素グループは等間隔であってもよく、又は等間隔ではないでもよい。要素グループの数Ｎ１はＭ１より小さくてもよく、Ｍ１より大きくてもよく、又はＭ１に等しくてもよい。複数の要素グループパターンに使用されるＲＢの数Ｍ１は、ＣＳＩ−ＲＳリソース密度の分母によって指示されてもよく、又は、複数の要素グループパターンに使用されるＲＢの数Ｍ１によって直接に指示されてもよい。又は、要素グループの数と複数の要素グループパターンに使用されるＲＢの数とをまとめて符号化し、シグナリングのオーバーヘッドを節約できる。又は、複数の要素グループパターンに使用されるＲＢの数は、例えば、サブキャリアの整数倍、ＲＢの整数倍、要素グループが占めるサブキャリアの整数倍、又は要素グループが跨るサブキャリアの整数倍等の、他の周波数領域単位によって指示される。
【００９４】
例えば、基地局は、複数の要素グループが示すパターンに使用されるリソースブロック位置が連続的又は不連続的であることを指示する。又は、複数のリソースブロックからなるグループを単位として指示する。
【００９５】
本実施例の他の好ましい実施形態では、ゼロ出力ＣＳＩ−ＲＳの場合、基地局はＣＳＩ−ＲＳリソースの構成要素の複数のカテゴリ及び各カテゴリ要素の位置を通知する。
【００９６】
ＣＳＩ−ＲＳはゼロ出力で発射され、ゼロ出力で発射されるＣＳＩ−ＲＳリソースは複数のカテゴリの要素で構成され、柔軟性の要求を満し、シグナリングのオーバーヘッドを節約するように、様々なタイプのゼロ出力ＣＳＩ−ＲＳリソースパターンを形成できる。基地局は、正確なゼロ出力ＣＳＩ−ＲＳリソースパターン及び位置を形成するように、各カテゴリ要素の位置を通知する。
【００９７】
例えば、基地局が通知するＣＳＩ−ＲＳリソースの構成要素のカテゴリは、ＲＥ数で区別されるカテゴリであってもよく、要素パターンで区別されるカテゴリであってもよい、例えば、（Ｙ、Ｚ）配列では、Ｙは要素が占める周波数領域のサブキャリアの数であり、Ｚは要素が占める時間領域単位の数である。基地局は、要素グループで区別されたカテゴリを通知してもよい。異なるカテゴリの要素位置は異なるレベルのシグナリングによって通知され、又は、同じレベルのシグナリングによって通知され、又は、異なるカテゴリの要素は同じ方式によって通知され、又は、異なるカテゴリの要素は異なる方式によって通知され、又は、異なるカテゴリの要素位置は個別で通知され、又は、異なるカテゴリの要素位置は共同通知され。又は、要素の位置を事前に定義又は構成し、そして、発射されるゼロ出力ＣＳＩ−ＲＳリソースパターンに使用される要素位置を指示し、又は、発射されるゼロ出力ＣＳＩ−ＲＳリソースパターンに使用される要素位置を構成し、又は、発射されるゼロ出力ＣＳＩ−ＲＳリソースパターンに使用される部分の要素位置を先に構成し、次に残り部分の要素位置を指示する。
【００９８】
本実施例の他の好ましい実施形態では、基地局はビットマップ（ｂｉｍａｐ）の方法によって各カテゴリ要素の位置を通知する。
【００９９】
基地局は、１つの要素の位置を１つのビットで示し、対応する位置が使用されることをビットの１つの状態で示し、対応する位置が使用されないことをビットの他の状態で示す。基地局は、ビットマップの方法によってゼロ出力発射のＣＳＩ−ＲＳリソースを構成する複数のカテゴリ要素の位置を同時に指示する。この形態によれば、ＣＳＩ−ＲＳリソースパターンと位置の柔軟性を提供しながら、システムの複雑さが低減し、シグナリングのオーバーヘッドを節約することができる。
【０１００】
例えば、ゼロ出力ＣＳＩ−ＲＳリソースを構成する各カテゴリ要素は、ビットマップ用のビットセットに個別に対応し、又は、ゼロ出力ＣＳＩ−ＲＳリソースを構成するすべてのカテゴリ要素は、ビットマップ用のビットセットに共同で対応する。又は、使用されるビットセットの長さは構成可能であり、又は、使用されるビットセットの長さはプロトコルによって予定される。又は、使用されるビットセットの数は構成可能であり、又は、使用されるビットセットの数はプロトコルによって予定される。又は、使用されるカテゴリ要素は、１つのビットセットに共同で対応し、各カテゴリ要素は、ビットセット内の異なるビット間隔、つまりビットセグメントをそれぞれ使用する。又は、各カテゴリ要素に使用されるビットセグメントの長さは構成可能であり、又は、各ビットセグメントの長さは個別に構成され、又は、各ビットセグメントの長さは共同で構成され、又は、各ビットセグメントの長さはプロトコルによって予定され、又は、各ビットセグメントの長さが等しく、又は、ビットセグメントの数は構成可能であり、又は、ビットセグメントの数はプロトコルによって予定される。又は、ゼロ出力ＣＳＩ−ＲＳリソースパターンの要素の構成可能な位置範囲をプロトコルによって予定して、ゼロ出力ＣＳＩ−ＲＳリソースパターンに使用される要素位置をビットマップによって指示する。又は、ゼロ出力ＣＳＩ−ＲＳリソースパターンの要素の構成可能な位置範囲を事前に構成して、ゼロ出力ＣＳＩ−ＲＳリソースパターンに使用される要素位置をビットマップによって指示する。又は、ゼロ出力ＣＳＩ−ＲＳリソースパターンの一部の要素位置を事前に構成して、ゼロ出力ＣＳＩ−ＲＳリソースパターンの残りの要素位置をビットマップによって指示する。又は、ゼロ出力ＣＳＩ−ＲＳリソースパターンのビット位置を事前に構成して、一部の要素位置の使用の変更をビットマップによって指示する。
【０１０１】
本実施例の別の好ましい実施形態では、ＣＳＩ−ＲＳポート数と要素カテゴリとをまとめて符号化する方式、要素の位置をまとめて符号化する方式、要素のカテゴリと要素の位置とをまとめて符号化する方式、ＣＳＩ−ＲＳのポート数と要素の位置とをまとめて符号化する方式、のいずれかを使用してまとめて符号化する。
【０１０２】
異なるＣＳＩ−ＲＳポート数のＣＳＩ−ＲＳリソースに使用される要素カテゴリが異なり、つまり、特定のＣＳＩ−ＲＳポート数とそれに対応可能な要素カテゴリには関連性があるため、ＣＳＩ−ＲＳポート数と要素カテゴリとをまとめて符号化することで、シグナリングのオーバーヘッドを節約できる。特定のリソースパターンを形成する要素位置のセットには関連性があるため、要素の位置をまとめて符号化することで、シグナリングのオーバーヘッドを節約できる。要素のカテゴリとそれに対応する要素の位置には関連性があるため、要素のカテゴリと要素の位置とをまとめて符号化することで、シグナリングのオーバーヘッドを節約できる。ＣＳＩ−ＲＳのポート数とそれに対応する要素の位置には関連性があるため、ＣＳＩ−ＲＳのポート数と要素の位置とをまとめて符号化することで、シグナリングのオーバーヘッドを節約できる。
【０１０３】
例えば、ＣＳＩ−ＲＳポート数はＭ２種であり、要素カテゴリはＮ２種であり、実際にＣＳＩ−ＲＳポート数と要素カテゴリの組み合わせ状態はＬ２であり、ＣＳＩ−ＲＳリソースに対応するＣＳＩ−ＲＳポート数と要素カテゴリをＸ２個の番号又は状態によって指示し、又は、Ｘ２＝Ｌ２、又はＬ２＜Ｘ２＜Ｍ２＊Ｎ２、式中、記号「＊」は乗算演算を示す。
【０１０４】
本実施例の別の好ましい実施形態では、基地局が通知する構成要素の時間領域位置の下り発射スロットが存在しない場合、方法は、基地局が、チャネル状態情報参照信号を発射しないことと、基地局が１つの時間ウィンドウを端末に通知し、通知される時間ウィンドウが指示する第１の下りスロット内でチャネル状態情報参照信号を発射することと、基地局がチャネル状態情報参照信号の発射周期を通知し、構成された発射周期に対応する無線フレームに含まれる下りスロットの数、及びチャネル状態情報参照信号の発射に対応する無線フレームに含まれる下りスロットの数により、チャネル状態情報参照信号の時間領域位置を指示することと、のいずれかをさらに含む。
【０１０５】
チャネル状態情報参照信号は発射されず、エラーを回避するメカニズムを提供する。基地局が１つの時間ウィンドウを通知し、時間ウィンドウが指示する第１の下りスロット内でチャネル状態情報参照信号を発射することで、再送信する機械を提供し、発射すべくタイミングに間に合うようにする。基地局がチャネル状態情報参照信号の発射周期をさらに通知し、構成された発射周期に対応する無線フレームに含まれる下りスロットの数、及びチャネル状態情報参照信号の発射に対応する無線フレームに含まれる下りスロットの数により、チャネル状態情報参照信号の時間領域位置を指示することで、再送信する機械を提供し、再送信する機会のスロットの負担が低減する。
【０１０６】
例えば、参照信号はＴ＋Ｓ個のスロットに発射するように構成され、データを伝送する無線フレームに、下りスロットがＴ個だけあり、基地局はＴ＋Ｓ番目のスロットに参照信号を発射しない。ＳがＴより大きいか、ＳがＴに等しいか、ＳがＴより小さい。
【０１０７】
例えば、基地局は端末のために１つの時間ウィンドウＵをさらに構成し、ＵがＳより大きい、参照信号はＴ＋ＳからＴ＋Ｕまでの間に第１の下りスロットで発射され、ＵがＴより大きいか、ＵがＴに等しいか、ＵがＴより小さい。
【０１０８】
例えば、構成された発射周期に対応する無線フレームに含まれる下りスロットの数はＡであり、チャネル状態情報参照信号の発射に対応する無線フレームに含まれる下りスロットの数はＢであり、構成された発射スロットはＳ＋Ｔ番目のスロットであり、実際の発射に指示するスロットはｍｏｄ（Ｓ＋Ｔ、Ｂ）、ｍｏｄ（）は剰余演算である。
【０１０９】
本実施例の別の好ましい実施形態では、構成要素の情報は構成要素の周波数領域位置を含み、基地局が、構成要素の周波数領域位置を端末に通知することは、基地局が、構成要素のために複数の周波数領域位置のうちの１つを選択し、構成要素のために選択した周波数領域位置を端末に通知することを含み、複数の周波数領域位置は予定されたものであり、構成要素が周波数領域において１つのサブキャリアを占める場合、リソースブロックの任意のサブキャリアの周波数領域位置を予定の周波数領域位置とすることが許され、構成要素が周波数領域において複数のサブキャリアを占める場合、リソースブロックの２つの隣接する予定の周波数領域位置間の間隔を２つのサブキャリアとすることが許される。
【０１１０】
周波数領域における要素のサイズが１つのサブキャリアである場合、リソースブロックにおける各サブキャリア位置は予定位置であり、サイズが１つのサブキャリアである要素に対して最小精度が１つのサブキャリアである位置を提供してもよい。周波数領域における要素のサイズが１つのサブキャリアより大きい場合、２つの隣接する予定位置間の間隔を２つのサブキャリアとすることが許され、比較的大きい要素に対してより多く選択可能な位置を提供し、予定位置が任意の位置にある場合に無駄になる問題を回避できる。
【０１１１】
例えば、周波数領域サイズが１つのサブキャリアの要素は、（Ｙ、Ｑ）＝（１、２）、又は（Ｙ、Ｑ）＝（１、４）であってもよい。リソースブロックのサイズがＶであってもよく、即ち、Ｖ個のサブキャリアが含まれ、Ｖは１２、又は２４であってもよい。リソースブロックにおける各サブキャリアいずれも予定の位置である。周波数領域サイズが１サブキャリアより大きい要素は、（Ｙ、Ｑ）＝（２、１）、（Ｙ、Ｑ）＝（２、４）、（Ｙ、Ｑ）＝（４、１）、（Ｙ、Ｑ）＝（４、２）、又は（Ｙ、Ｑ）＝（８、１）であってもよい。予定の位置は０番目のサブキャリア、２番目のサブキャリア、４番目のサブキャリア、６番目のサブキャリア、８番目のサブキャリア、１０番目のサブキャリアであってもよく、又は、０番目のサブキャリア、２番目のサブキャリアであってもよく、又は、０番目のサブキャリア、２番目のサブキャリア、４番目のサブキャリアであってもよく、又は、０番目のサブキャリア、２番目のサブキャリア、４番目のサブキャリア、６番目のサブキャリアであってもよく、又は、４番目のサブキャリア、６番目のサブキャリア、８番目のサブキャリアであってもよい。
【０１１２】
本実施例の別の好ましい実施形態では、基地局はＣＳＩ−ＲＳのカテゴリを通知する。
【０１１３】
ＣＳＩ−ＲＳのカテゴリが異なり、その機能作用が異なり、ＣＳＩ−ＲＳリソースパターンの構成方式に違いがあるか、ＣＳＩ−ＲＳリソースパターンの位置も違いがある。ＣＳＩ−ＲＳのカテゴリ情報を通知することで、ＣＳＩ−ＲＳリソースパターン及び位置を通知するシグナリングのオーバーヘッドを節約し、システムの複雑さが低減できる。
【０１１４】
例えば、ＣＳＩ−ＲＳはチャネル状態取得用のカテゴリであり、又は、ＣＳＩ−ＲＳはビーム走査用のカテゴリ、モビリティ管理用のカテゴリ、又は、位相追跡用のカテゴリである。
【０１１５】
上記の実施形態の説明によれば、当業者は、上記の実施例による方法がソフトウェア及び必要な汎用ハードウェア・プラットフォームによって実現できることを明確に理解することができ、ハードウェアも当然に使用できるか、多くの場合、前者の方がより良い実施形態である。このような理解に基づいて、本発明の技術的解決手段は、本質的に又は従来技術に貢献する部分をソフトウェア製品として具現化することができ、当該コンピュータ・ソフトウェア製品は記憶媒体（例えば、読み取り専用メモリ（ＲＯＭ、Ｒｅａｄ−Ｏｎｌｙ  Ｍｅｍｏｒｙ）／ランダムアクセスメモリ（ＲＡＭ、Ｒａｎｄｏｍ  Ａｃｃｅｓｓ  Ｍｅｍｏｒｙ）、磁気ディスク、光ディスク）に記憶され、端末デバイス（携帯電話、コンピュータ、サーバ、又はネットワークデバイス等）に本発明の各実施例による方法を実行させるためのいくつかの命令を含む。
【０１１６】
実施例２
本発明の実施例は、チャネル状態情報参照信号の伝送デバイスをさらに提供する。当該デバイスは、上記の実施例及び好ましい実施形態を実現することに用いられ、説明されたものは省略される。以下で使用されるように、用語「モジュール」は、所定の機能を実現可能なソフトウェア及び／又はハードウェアの組み合わせである。以下の実施例で説明されるデバイスは、ソフトウェアで実現されることが好ましいが、ハードウェア、又はソフトウェアとハードウェアの組み合わせで実現されることも可能であり、考えられる。
【０１１７】
図３は、本発明の実施例によるチャネル状態情報参照信号の伝送デバイスの模式図である。図３に示すように、当該デバイスは、決定ユニット３２、送信ユニット３４、及び発射ユニット３６を備えてもよい。
【０１１８】
決定ユニット３２は、チャネル状態情報参照信号の情報を決定するように構成される。
【０１１９】
ただし、チャネル状態情報参照信号の情報は少なくともチャネル状態情報参照信号ポートの数、及び構成要素の情報を含み、チャネル状態情報参照信号ポートはチャネル状態情報参照信号を発射するように構成され、チャネル状態情報参照信号リソースはチャネル状態情報参照信号を担持することに用いられる。
【０１２０】
送信ユニット３４は、チャネル状態情報参照信号の情報を端末に送信するように構成される。
【０１２１】
発射ユニット３６は、チャネル状態情報参照信号を発射するように構成される。
【０１２２】
上記の実施例によれば、決定ユニットは、チャネル状態情報参照信号の情報を決定し、チャネル状態情報参照信号の情報は少なくともチャネル状態情報参照信号ポートの数、及びチャネル状態情報参照信号リソースの構成要素のカテゴリと構成要素の情報を含み、チャネル状態情報参照信号ポートは、チャネル状態情報参照信号を発射するように構成され、チャネル状態情報参照信号リソースはチャネル状態情報参照信号を担持することに用いられ、送信ユニットは、チャネル状態情報参照信号の情報を端末に送信し、発射ユニットは、チャネル状態情報参照信号を発射する。したがって、関連技術におけるチャネル測定性能が低く、システムの複雑さが高いという技術的問題が解決され、システムの複雑さが低減し、チャネル状態の測定性能を高める技術的效果が得られる。
【０１２３】
一実施例では、構成要素の情報は構成要素の時間領域位置を含み、送信ユニットはさらに、１つの時間領域位置を参照として、構成要素の時間領域位置を端末に通知するように構成され、参照としての時間領域位置は、参照としての時間領域位置はスロットの最後のＯＦＤＭシンボルである方式と、参照としての時間領域位置はスロットのカテゴリによって指示される方式と、参照としての時間領域位置は上位層シグナリングによって構成される方式と、のいずれかの方式で決定される。
【０１２４】
一実施例では、構成要素は複数であり、送信ユニットは、選択された相対位置関係を端末に通知し、基地局が、上位層シグナリングにより複数の構成要素間の複数の相対位置関係を事前に端末に通知し、選択された相対位置関係は複数の相対位置関係の１つであるように構成される第１通知モジュールと、構成要素のカテゴリ及びチャネル状態情報参照信号ポートの数を前記端末に送信し、構成要素のカテゴリ及びチャネル状態情報参照信号ポートの数により複数の構成要素間の相対位置関係を指示するように構成される第２通知モジュールと、サブキャリアの間隔情報を端末に通知し、サブキャリアの間隔情報により複数の構成要素間の相対位置関係を指示し、サブキャリアはＯＦＤＭシステムにデータ又は信号を担持する周波数領域単位であり、サブキャリアの間隔情報は周波数領域単位間の間隔を指示することに用いられるように構成される第３通知モジュールと、チャネル状態情報参照信号ポートの多重方式情報を端末に通知し、チャネル状態情報参照信号ポートの多重方式情報により複数の構成要素間の相対位置関係を指示し、チャネル状態情報参照信号ポートの多重方式はポートが無線リソースを共通で使用する方式を指示することに用いられるように構成される第４通知モジュールと、チャネル状態情報参照信号の生成シーケンスの情報を端末に通知し、チャネル状態情報参照信号の生成シーケンスの情報により複数の構成要素間の相対位置関係を指示し、生成シーケンスの情報はチャネル状態情報参照信号のシンボルを生成する時に使用される生成シーケンスであるように構成される第５通知モジュールと、を備える。
【０１２５】
一実施例では、構成要素は複数であり、送信ユニットは、上位層シグナリングにより複数の構成要素間の相対位置関係を端末に通知し、物理層シグナリングにより複数の構成要素の１つが位置する位置を端末に通知するように構成される第６通知モジュールと、物理層シグナリングにより複数の構成要素間の相対位置関係を端末に通知し、上位層シグナリングにより複数の構成要素の１つが位置する位置を端末に通知するように構成される第７通知モジュールと、を備える。
【０１２６】
一実施例では、構成要素の情報は、構成要素の時間領域位置及び周波数領域位置を含み、送信ユニットは、構成要素の時間領域位置における最初のＯＦＤＭシンボルの位置、構成要素の周波数領域位置における周波数が最も低いサブキャリアの位置を端末に通知するように構成される第９通知モジュールと、構成要素の時間領域位置における最後のＯＦＤＭシンボルの位置、構成要素の周波数領域位置における周波数が最も高いサブキャリアの位置を端末に通知するように構成される第１０通知モジュールと、構成要素の時間領域位置における最後のＯＦＤＭシンボルの位置、構成要素の周波数領域位置における周波数が最も低いサブキャリアの位置を端末に通知するように構成される第１１通知モジュールと、を備える。
【０１２７】
一実施例では、チャネル状態情報参照信号リソースの構成要素は複数の要素グループを含み、送信ユニットは、複数の要素グループの複数の位置情報を端末に通知し、位置情報のそれぞれは、複数の要素グループにおける各要素グループのために設定される位置を指示するように構成される第１２通知モジュール、を備える。
【０１２８】
一実施例では、要素グループの位置情報は、要素グループが位置するリソースブロックの位置と、要素グループが位置するサブキャリアの位置とを含む。
【０１２９】
一実施例では、チャネル状態情報参照信号の情報は、チャネル状態情報参照信号の周波数領域密度情報をさらに含み、送信ユニットは、チャネル状態情報参照信号の周波数領域密度情報により要素グループの位置を指示し、各リソースブロックでは、各Ｋ個のサブキャリアが１つの要素グループを担持することに用いられ、Ｋは正の整数であるように構成される。
【０１３０】
一実施例では、周波数領域密度情が指示する周波数領域密度値が１より大きい場合、１２は前記周波数領域密度値で割り切れ可能であり、周波数領域密度値は、各ポートの各リソースブロックにおいてチャネル状態情報参照信号のパターンが占めるリソースエレメントの数である。
【０１３１】
一実施例では、当該デバイスは、複数の要素グループが示すパターンに使用されるリソースブロックの数を端末に通知するように構成される第１通知ユニットと、複数の要素グループが示すパターンに使用されるリソースブロックの位置を端末に通知するように構成される第２通知ユニットと、をさらに含む。
【０１３２】
一実施例では、当該デバイスは、チャネル状態情報参照信号をゼロ出力で発射する場合、チャネル状態情報参照信号リソースの構成要素の複数のカテゴリ及び各カテゴリの構成要素の情報を端末に通知するように構成される第３通知ユニット、をさらに備える。
【０１３３】
一実施例では、第３通知ユニットは、ビットマップの方式によって、各カテゴリの構成要素の情報を端末に通知するように構成される。
【０１３４】
一実施例では、送信ユニットがチャネル状態情報参照信号の情報を端末に送信する時に、送信ユニットは、チャネル状態情報参照信号ポートの数と構成要素のカテゴリとをまとめて符号化する方式と、少なくとも２つの構成要素の情報をまとめて符号化する方式と、構成要素のカテゴリと構成要素の情報とをまとめて符号化する方式と、チャネル状態情報参照信号ポートの数と構成要素の情報とをまとめて符号化する方式と、のいずれかの方式でまとめて符号化する。
【０１３５】
一実施例では、送信ユニットが通知する構成要素の時間領域位置に下り発射スロットが存在しない場合、当該デバイスは、
送信ユニットがチャネル状態情報参照信号を発射しないように制御するように構成される制御ユニットと、１つの時間ウィンドウを端末に通知し、通知される時間ウィンドウが指示する第１の下りスロット内でチャネル状態情報参照信号を発射するように構成される第４通知ユニットと、チャネル状態情報参照信号の発射周期を通知し、構成された発射周期に対応するサブフレームに含まれるスロット数、及びチャネル状態情報参照信号の発射に対応するサブフレームのスロット数により、チャネル状態情報参照信号の時間領域位置を指示するように構成される第５通知ユニットと、をさらに備える。
【０１３６】
一実施例では、構成要素の情報は、構成要素の周波数領域位置を含み、送信ユニットは、構成要素のために複数の周波数領域位置のうちの１つを選択し、構成要素のために選択した周波数領域位置を端末に通知することを含み、複数の周波数領域位置は予定されたものであり、構成要素が周波数領域において１つのサブキャリアを占める場合、リソースブロックの任意のサブキャリアの周波数領域位置を予定の周波数領域位置とすることが許され、構成要素が周波数領域において複数のサブキャリアを占める場合、リソースブロックの２つの隣接する予定の周波数領域位置間の間隔を２つのサブキャリアとすることが許されるように構成される選択モジュール、を備える。
【０１３７】
一実施例では、当該デバイスは、チャネル状態情報参照信号のカテゴリを端末に通知するように構成される第６通知ユニット、をさらに備える。
【０１３８】
なお、上記の各モジュールは、ソフトウェア又はハードウェアによって実現でき、後者の場合、上記のモジュールがすべで同じプロセッサに構成され、又は、上記のモジュールのそれぞれは、任意の組み合わせで異なるプロセッサに構成されるように実現できるが、これに限定されるものではだい。
【０１３９】
実施例３
本発明の実施例は、記憶媒体をさらに提供する。本実施例において、上記の記憶媒体は、以下のステップを実行するためのプログラムコードを記憶するように設定してもよい。
【０１４０】
Ｓ１１では、チャネル状態情報参照信号の情報を決定する。
【０１４１】
ただし、チャネル状態情報参照信号の情報は、少なくとも、チャネル状態情報参照信号ポートの数と、チャネル状態情報参照信号リソースの構成要素のカテゴリ及び構成要素の情報とを含み、チャネル状態情報参照信号ポートは、チャネル状態情報参照信号を発射するように構成され、チャネル状態情報参照信号リソースはチャネル状態情報参照信号を担持することに用いられる。
【０１４２】
Ｓ１２では、チャネル状態情報参照信号の情報を端末に送信する。
【０１４３】
Ｓ１３では、チャネル状態情報参照信号を発射する。
【０１４４】
一実施例では、記憶媒体はさらに、以下のステップを実行するためのプログラムコードを記憶するように設定される。
【０１４５】
Ｓ２１では、基地局は、選択された相対位置関係を端末に通知し、基地局は、上位層シグナリングにより複数の構成要素間の複数の相対位置関係を事前に端末に通知し、選択された相対位置関係は複数の相対位置関係の１つである。
【０１４６】
Ｓ２２では、基地局は、構成要素のカテゴリ及びチャネル状態情報参照信号ポートの数を端末に送信し、構成要素のカテゴリ及びチャネル状態情報参照信号ポートの数により複数の構成要素間の相対位置関係を指示する。
【０１４７】
Ｓ２３では、基地局は、サブキャリアの間隔情報を端末に通知し、サブキャリアの間隔情報により複数の構成要素間の相対位置関係を指示し、サブキャリアはＯＦＤＭシステムにデータ又は信号を担持する周波数領域単位であり、サブキャリアの間隔情報は周波数領域単位間の間隔を指示することに用いられる。
【０１４８】
Ｓ２４では、基地局は、チャネル状態情報参照信号ポートの多重方式情報を端末に通知し、チャネル状態情報参照信号ポートの多重方式情報により複数の構成要素間の相対位置関係を指示し、チャネル状態情報参照信号ポートの多重方式情報はポートが共通の無線リソースを使用する方式を指示することに用いられる。
【０１４９】
Ｓ２４では、基地局は、チャネル状態情報参照信号の生成シーケンスの情報を端末に通知し、チャネル状態情報参照信号の生成シーケンスの情報により複数の構成要素間の相対位置関係を指示し、生成シーケンスの情報は、チャネル状態情報参照信号のシンボルを生成する時に使用される生成シーケンスである。
【０１５０】
本実施例では、上記の記憶媒体として、Ｕディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、モバイルハードディスク、磁気ディスク、又は光ディスク等のプログラムコードを記憶できる様々な媒体、が挙げられてもよいが、これらに限定されない。
【０１５１】
本実施例では、プロセッサは、記憶媒体に記憶されたプログラムコードに応じて以下の処理を実行する。基地局は、チャネル状態情報参照信号の情報を決定し、チャネル状態情報参照信号の情報は、少なくとも、チャネル状態情報参照信号ポートの数と、チャネル状態情報参照信号リソースの構成要素のカテゴリ及び構成要素の情報とを含み、チャネル状態情報参照信号ポートはチャネル状態情報参照信号を発射するように構成され、チャネル状態情報参照信号リソースはチャネル状態情報参照信号を担持することに用いられる。基地局は、チャネル状態情報参照信号の情報を端末に送信する。基地局は、チャネル状態情報参照信号を発射する。
【０１５２】
本実施例では、プロセッサは、記憶媒体に記憶されたプログラムコードに応じて以下の処理を実行する。基地局は、上位層シグナリングにより複数の構成要素間の複数の相対位置関係を事前に端末に通知し、複数の相対位置関係から１つを選択された相対位置関係を端末に通知する。基地局は、構成要素のカテゴリ及びチャネル状態情報参照信号ポートの数を端末に送信し、構成要素のカテゴリ及びチャネル状態情報参照信号ポートの数により複数の構成要素間の相対位置関係を指示する。基地局は、ＯＦＤＭシステムにデータ又は信号を担持する周波数領域単位であるサブキャリアの間隔情報を端末に通知し、サブキャリアの間隔情報により複数の構成要素間の相対位置関係を指示し、サブキャリアの間隔情報は周波数領域単位間の間隔を指示することに用いられる。基地局は、チャネル状態情報参照信号ポートの多重方式情報を端末に通知し、チャネル状態情報参照信号ポートの多重方式情報により複数の構成要素間の相対位置関係を指示し、チャネル状態情報参照信号ポートの多重方式情報はポートが共通の無線リソースを使用する方式を指示することに用いられる。基地局は、チャネル状態情報参照信号の生成シーケンスの情報を端末に通知し、チャネル状態情報参照信号の生成シーケンスの情報により複数の構成要素間の相対位置関係を指示し、生成シーケンスの情報はチャネル状態情報参照信号のシンボルを生成する時に使用される生成シーケンスを指示することに用いられる。
【０１５３】
本実施例の具体例については、上記の実施例及び好ましい実施形態で説明した例を参照することができ、本実施例には再度説明しない。
【０１５４】
明らかに、本発明の上記の各モジュール又は各ステップは、汎用コンピューティングデバイスによって実現されでもよく、それらは、単一のコンピューティングデバイスに集中させ、又は複数のコンピューティングデバイスからなるネットワークに分散させ、コンピューティングデバイスが実行可能なプログラムコードによって実現されてもよく、したがって、それらは、コンピューティングデバイスによる実行するために記憶デバイスに記憶されてもよく、いくつかの場合、示された又は説明されたステップは、本明細書に説明されるものと異なる順番で実行されてもよく、又は、それらは、個々の集積回路モジュールにそれぞれ製造されてもよく、又は、複数のモジュール又はステップが単一の集積回路モジュールによって実現されてもよい、ことを当業者は理解するはずである。そのようにして、本発明は、任意のハードウェアとソフトウェアの特定の組み合わせに限定されるものではない。
【０１５５】
上記のようなものは、本発明の好ましい実施例にすぎず、本発明を限定するものではなく、本発明において様々な修正及び変更を行うことができることは、当業者には明らかであろう。本発明の精神及び原則内でなされた任意の修正、同等の置換、改善等は、本発明の範囲内に含まれることが意図されている。
【産業上の利用可能性】
【０１５６】
本発明の実施例では、基地局はチャネル状態情報参照信号の情報を決定し、チャネル状態情報参照信号の情報は、少なくとも、チャネル状態情報参照信号ポートの数と、チャネル状態情報参照信号リソースの構成要素情報とを含み、チャネル状態情報参照信号ポートはチャネル状態情報参照信号を発射するように構成され、チャネル状態情報参照信号リソースはチャネル状態情報参照信号を担持することに用いられ、基地局は、チャネル状態情報参照信号の情報を端末に送信し、基地局はチャネル状態情報参照信号を発射する。したがって、関連技術におけるチャネル測定性能が低く、システムの複雑さが高いという技術的問題が解決され、システムの複雑さが低減し、チャネル状態の測定性能を高める技術的效果が実現される。
【手続補正３】
【補正対象書類名】図面
【補正対象項目名】図２
【補正方法】変更
【補正の内容】
【図２】
2020515172.tif 000006
【国際調査報告】
2020515172.tif 000007
2020515172.tif 000008
2020515172.tif 000009
2020515172.tif 000010